(57)【要約】【課題】搬送される原稿を読み取るラインセンサと原稿の読取面との相対距離を変更するための駆動機構を追加することなく、原稿の読取中にラインセンサのピントを変更して原稿の画像を読み取ることができる画像読取装置の提供。【解決手段】ラインセンサ４０は、第１ガラス１８又は第２ガラス２０に対向してＣＲモータ６５により移動される。搬送路１２に沿って搬送される原稿におけるラインセンサ４０の読取領域は、第１領域及び第２領域に区画される。この処理は、プレスキャンで得られた原稿の画像、又はユーザ設定に基づいて行われる。搬送される原稿の本スキャンでは、第１領域、第２領域毎に第１ガラス１８における原稿の読取面２５とラインセンサ４０との相対距離が、ＣＲモータ６５を駆動させることによって変更される。【選択図】図２
2008219129.tif 000002
【特許請求の範囲】
【請求項１】
原稿が搬送される経路に設けられた第１透過部材と、
原稿が載置される第２透過部材と、
光源から上記第１透過部材又は上記第２透過部材を通して原稿へ光照射して該原稿からの反射光を主走査ライン毎に読み取る密着型のラインセンサと、
上記ラインセンサを上記第１透過部材又は上記第２透過部材に対向して移動させる駆動部と、
上記駆動部により上記第１透過部材と対向配置された上記ラインセンサに上記搬送される原稿をプレスキャンさせて得られた原稿の画像、又はユーザ設定に基づいて、上記搬送される原稿における上記ラインセンサの読取領域を複数の領域に区画する区画部と、
上記搬送される原稿の上記ラインセンサによる本スキャンにおいて、上記区画された領域毎に上記第１透過部材における原稿の読取面と上記ラインセンサとの相対距離を上記駆動部を駆動させて変更する第１制御部と、を具備する画像読取装置。
【請求項２】
上記第１透過部材における読取面は、上記ラインセンサが移動する平面に対して傾斜されている請求項１に記載の画像読取装置。
【請求項３】
上記第１透過部材における読取面は、上記経路における原稿の搬送方向上流側よりも下流側が上記ラインセンサが移動する平面から離間されている請求項２に記載の画像読取装置。
【請求項４】
上記ラインセンサが移動する方向に厚みが階段状又はくさび状に変化し、該ラインセンサが上記第１透過部材と対向した状態で該ラインセンサと該第１透過部材との間に介在する第１スペーサを備える請求項１に記載の画像読取装置。
【請求項５】
上記プレスキャンの結果に基づいて上記読取領域を区画する第１モード、又はユーザ設定に基づいて上記読取領域を区画する第２モードの選択を受け付ける第１受付部を備え、
上記区画部は、上記第１受付部により第１モードの選択が受け付けられたことを条件に上記ラインセンサに上記プレスキャンを実行させて該プレスキャンで得られた原稿の画像に基づいて上記読取領域を区画し、上記第１受付部により第２モードの選択が受け付けられたことを条件に上記ラインセンサに上記プレスキャンを実行させることなく上記ユーザ設定に基づいて上記読取領域を区画する請求項１から４のいずれかに記載の画像読取装置。
【請求項６】
上記本スキャンで得られた原稿の画像を白基準データに基づいてシェーディング補正する補正部と、
上記シェーディング補正される原稿の画像の読取領域に応じて上記白基準データを変更する変更部と、を備える請求項１から５のいずれかに記載の画像読取装置。
【請求項７】
上記区画部は、上記読取領域を第１領域及び第２領域に区画するものであって、
上記第１制御部は、上記相対距離を上記ラインセンサの焦点距離に略一致させた状態で該ラインセンサに上記第１領域を読み取らせ、上記相対距離を上記焦点距離と異ならせた状態で上記ラインセンサに上記第２領域を読み取らせるものである請求項１から６のいずれかに記載の画像読取装置。
【請求項８】
上記第１領域又は上記第２領域を指定する指定情報を入力するための第１設定画面を表示する第１表示部と、
上記第１設定画面に対する上記指定情報の入力を受け付ける第２受付部とを備え、
上記区画部は、上記第２受付部により入力が受け付けられた指定情報に基づいて上記読取領域を区画する請求項７に記載の画像読取装置。
【請求項９】
上記第１領域又は上記第２領域を指定する指定情報を自装置と通信可能に接続された端末装置から受信する第１受信部を備え、
上記区画部は、上記第１受信部により受信された指定情報に基づいて上記読取領域を区画する請求項７に記載の画像読取装置。
【請求項１０】
上記プレスキャンで得られた原稿の画像を表示する第２表示部と、
上記表示された原稿の画像に対して上記第１領域又は上記第２領域を指定する指定情報の入力を受け付ける第３受付部とを備え、
上記区画部は、上記第３受付部により入力が受け付けられた指定情報に基づいて上記読取領域を区画する請求項７に記載の画像読取装置。
【請求項１１】
上記プレスキャンで得られた原稿の画像を自装置と通信可能に接続された端末装置へ転送する第１転送部と、
上記転送された原稿の画像に対して上記第１領域又は上記第２領域を指定する指定情報を上記端末装置から受信する第２受信部とを備え、
上記区画部は、上記第２受信部により受信された指定情報に基づいて上記読取領域を区画する請求項７に記載の画像読取装置。
【請求項１２】
上記第１領域又は上記第２領域を指定する指定情報を保存する第１保存部と、
上記第１保存部に保存されている指定情報の選択を受け付ける第４受付部とを備え、
上記区画部は、上記第４受付部により指定情報の選択が受け付けられたことを条件に、当該指定情報に基づいて上記読取領域を区画する請求項７から１１のいずれかに記載の画像読取装置。
【請求項１３】
文字又は図形を入力するための第２設定画面を表示する第３表示部と、
上記第２設定画面に対する文字又は図形の入力を受け付ける第５受付部と、
上記プレスキャンで得られた原稿の画像から上記第５受付部により入力が受け付けられた文字又は図形を検出する検出部とを備え、
上記区画部は、上記検出部により検出された文字又は図形を含む領域を上記第２領域に区画する請求項７に記載の画像読取装置。
【請求項１４】
上記プレスキャンで得られた原稿の画像を自装置と通信可能に接続された端末装置へ転送する第２転送部と、
上記原稿の画像の転送に応じて上記端末装置から送信された文字又は図形を受信する第３受信部と、
上記プレスキャンで得られた原稿の画像から上記第３受信部により受信された文字又は図形を検出する検出部とを備え、
上記区画部は、上記検出部により検出された文字又は図形を含む領域を上記第２領域に区画する請求項７に記載の画像読取装置。
【請求項１５】
上記文字又は図形を保存する第２保存部と、
上記第２保存部に保存されている文字又は図形の選択を受け付ける第６受付部とを備え、
上記検出部は、上記第６受付部により文字又は図形の選択が受け付けられたことを条件に、当該文字又は図形を上記プレスキャンで得られた原稿の画像から検出する請求項１３又は１４に記載の画像読取装置。
【請求項１６】
上記相対距離が相異なる複数の位置で所定のパターンが記録されたテスト原稿を上記第１透過部材を通して読み取る動作を上記ラインセンサに実行させる第２制御部と、
上記動作で得られた上記テスト原稿の画像信号に基づいて上記複数の位置毎にＭＴＦ（Modulation Transfer Function）値を求める演算部と、
上記本スキャンにおいて上記搬送される原稿の第１領域を読み取る際に上記ラインセンサが上記駆動部により配置される読取位置、及び該原稿の第２領域を読み取る際に上記ラインセンサが上記駆動部により配置される読取位置を上記各ＭＴＦ値に基づいて決定する決定部と、を備える請求項７から１５のいずれかに記載の画像読取装置。
【請求項１７】
上記決定部は、ＭＴＦ値が最大となる位置を上記第１領域を読み取る上記ラインセンサの読取位置に決定する請求項１６に記載の画像読取装置。
【請求項１８】
上記決定部は、ＭＴＦ値が最大値の所定％以下となる位置を上記第２領域を読み取る上記ラインセンサの読取位置に決定する請求項１６又は１７に記載の画像読取装置。
【請求項１９】
上記ラインセンサの明度基準として該ラインセンサに読み取られる基準部材を備え、
上記第１制御部は、上記基準部材における読取面と上記ラインセンサとの相対距離を上記駆動部を駆動させて変更する請求項１から１８のいずれかに記載の画像読取装置。
【請求項２０】
上記基準部材における読取面は、上記ラインセンサが移動する平面に対して傾斜されている請求項１９に記載の画像読取装置。
【請求項２１】
上記ラインセンサが移動する方向に厚みが階段状又はくさび状に変化し、該ラインセンサが上記基準部材と対向した状態で該ラインセンサと該基準部材との間に介在する第２スペーサを備える請求項１９に記載の画像読取装置。
【発明の詳細な説明】
【技術分野】
【０００１】
本発明は、自動原稿搬送機構（ＡＤＦ：Auto Document Feeder）及びフラットベッドスキャナ（ＦＢＳ：Flat Bed Scanner）を備える画像読取装置に関する。
【背景技術】
【０００２】
従来より、自動原稿搬送機構（以下、単に「ＡＤＦ」とも称される。）及びフラットベッドスキャナ（以下、単に「ＦＢＳ」とも称される。）を備える画像読取装置が知られている。この画像読取装置は、プラテンガラスに対して往復動する例えばＣＩＳ（Contact Image Sensor）等の密着型のラインセンサを備えている。プラテンガラスに載置された原稿は、ラインセンサがプラテンガラスに沿って移動される過程で、ラインセンサによりその画像が光学的に読み取られる。ＡＤＦの原稿トレイに載置された原稿は、搬送路に沿って搬送される過程で所定の読取位置に配置されたラインセンサによりその画像が光学的に読み取られる。
【０００３】
上述のラインセンサにより印刷物などの網点原稿を読み取った場合、所謂モアレといわれる干渉縞が発生することが知られている。特許文献１には、モアレの発生を低減させるために、ラインセンサを上下動させてプラテンガラスに載置された原稿の読取面とラインセンサとの相対距離を変化させる構成が開示されている。
【０００４】
特許文献１に記載の画像読取装置は、ＣＣＤ（Charge Coupled Device）及びロッドレンズアレイを具備する画像読取ユニットがキャリッジに搭載されている。画像読取ユニットは、ステッピングモータの回転軸に卵形の円板カムが設けられてなるアクチュエータを備えている。画像読取ユニットは、円板カムの周面がキャリッジに当接した状態でキャリッジに搭載されている。ステッピングモータが駆動されることにより、円板カムが回転して画像読取ユニットとキャリッジとの距離が変更される。その結果、画像読取ユニットとプラテンガラスとの距離が変更される。
【０００５】
また、特許文献１には、焦点検出用のチャートを読み取って得た画像信号に基づいてＭＴＦ（Modulation Transfer Function）値を測定し、このＭＴＦ値に基づいて画像読取ユニットの高さを変更することが記載されている。この画像読取装置は、写真原稿モードと印刷物原稿モードの２つの読取モードを有している。写真原稿モードでは、ＭＴＦ値が最大となる高さに画像読取ユニットが配置されてプラテンガラス上の原稿が読み取られる。印刷物原稿モードでは、ＭＴＦ値が最大値の約４０％となる高さに画像読取ユニットが配置されてプラテンガラス上の原稿が読み取られる。
【０００６】
特許文献２には、特許文献１に開示されている画像読取装置と同様に、ラインセンサの高さを変えて相対距離を調整することが記載されている。特許文献２に記載の画像読取装置は、ＣＩＳが移動する方向を長手方向とするレールを備える。ＣＩＳは、このレール上を該レールに沿って移動する。レールは、その長手方向（軸方向）と直交する方向の断面が卵形に形成されており、レバーの操作により軸方向周りに回転されて円板カムとして機能する。このレールの回転に伴って、ＣＩＳは、プラテンガラスに対して接近又は離間される。すなわち、ＣＩＳとプラテンガラスにおける原稿の読取面との相対距離がレバーの操作によって変更される。また、特許文献２には、ＣＩＳが載置された支持板とＣＩＳとの間にジャッキを設け、つまみを操作してＣＩＳをジャッキにより上下動させることが記載されている。
【０００７】
特許文献３には、モアレが発生する原稿を読み取る際にモアレ防止プレートを使用することが記載されている。モアレ防止プレートは、原稿が載置される透明部材であり、プラテンガラス上に配置される。モアレが発生する原稿は、プラテンガラス上に配置されたモアレ防止プレート上に載置される。このように、プラテンガラスと原稿との間にモアレ防止プレートが介設されることにより、ラインセンサと原稿との距離が離間される。原稿は、ピントがずれた状態でラインセンサに読み取られるので、モアレの発生が低減される。
【０００８】
【特許文献１】特開２００２−１７１３９１号公報
【特許文献２】特開２００２−２６２０３２号公報
【特許文献３】特開平９−６５０７８号公報
【発明の開示】
【発明が解決しようとする課題】
【０００９】
ところで、特許文献１に記載の画像読取装置では、原稿の読取面とラインセンサとの相対距離を変更するために、ラインセンサを上下動させる駆動機構を設ける必要がある。これは、特許文献２に開示されている構成を用いた場合も同様であり、装置の構成が複雑になって製造コストが嵩むという問題点がある。
【００１０】
特許文献３に記載の画像読取装置では、原稿の読取面とラインセンサとの相対距離を変更するためにモアレ防止プレートを配置するといったユーザにとって面倒な操作が必要である。
【００１１】
なお、ＡＤＦにより搬送される原稿の読取面とラインセンサとの相対距離を変更できる構成については、いずれの特許文献にも開示されていない。また、原稿の読取中に相対距離を変更できる構成についても、いずれの特許文献にも開示されていない。
【００１２】
本発明は、かかる問題に鑑みてなされたものであり、搬送される原稿を読み取るラインセンサと原稿の読取面との相対距離を変更するための駆動機構を追加することなく、原稿の読取中にラインセンサのピントを変更して原稿の画像を読み取ることができる画像読取装置を提供することを目的とする。
【課題を解決するための手段】
【００１３】
(1)  本発明に係る画像読取装置は、原稿が搬送される経路に設けられた第１透過部材と、原稿が載置される第２透過部材と、光源から上記第１透過部材又は上記第２透過部材を通して原稿へ光照射して該原稿からの反射光を主走査ライン毎に読み取る密着型のラインセンサと、上記ラインセンサを上記第１透過部材又は上記第２透過部材に対向して移動させる駆動部と、上記駆動部により上記第１透過部材と対向配置された上記ラインセンサに上記搬送される原稿をプレスキャンさせて得られた原稿の画像、又はユーザ設定に基づいて、上記搬送される原稿における上記ラインセンサの読取領域を複数の領域に区画する区画部と、上記搬送される原稿の上記ラインセンサによる本スキャンにおいて、上記区画された領域毎に上記第１透過部材における原稿の読取面と上記ラインセンサとの相対距離を上記駆動部を駆動させて変更する第１制御部と、を具備する。
【００１４】
本発明の画像読取装置は、搬送される原稿及び第２透過部材に載置された原稿を読取可能に構成されている。ラインセンサは、搬送される原稿を読み取る際に、駆動部により第１透過部材と対向する位置に配置される。原稿は、経路に沿って搬送される過程において、ラインセンサにより第１透過部材を通して光照射されてその反射光が主走査ライン毎に読み取られる。ラインセンサは、第２透過部材に載置された原稿を読み取る際に、駆動部により第２透過部材に沿って移動される。その過程において、原稿は、ラインセンサにより第２透過部材を通して光照射されてその反射光が主走査ライン毎に読み取られる。上述の駆動部は、第１制御部により駆動される。この駆動により、第１透過部材における原稿の読取面とラインセンサとの相対距離が変更されるように構成されている。すなわち、ラインセンサの駆動源を利用して上記相対距離が変更される。
【００１５】
原稿におけるラインセンサの読取領域は、区画部により複数の領域に区画される。読取領域は、原稿のプレスキャンにより得られた原稿の画像、又はユーザ設定に基づいて区画される。搬送される原稿の本スキャンにおいて、ラインセンサを移動させる駆動部の駆動により、第１透過部材における原稿の読取面とラインセンサとの相対距離が区画された領域に応じて変更される。このため、駆動部とは別の駆動源を設けることなく、例えば搬送される原稿の一部の領域をぼかして読み取ることが可能となる。
【００１６】
(2)  上記第１透過部材における読取面は、上記ラインセンサが移動する平面に対して傾斜されていてもよい。
【００１７】
上記構成により、上記相対距離を変更するための部材を新たに追加することなく相対距離が容易に変更される。
【００１８】
(3)  上記第１透過部材における読取面は、上記経路における原稿の搬送方向上流側よりも下流側が上記ラインセンサが移動する平面から離間されていてもよい。
【００１９】
上記構成により、搬送中の原稿が第１透過部材に当接して押し付けられる。このため、第１透過部材に対する原稿の浮きが原因で相対距離が変化することが防止される。
【００２０】
(4)  本発明の画像読取装置は、上記ラインセンサが移動する方向に厚みが階段状又はくさび状に変化し、該ラインセンサが上記第１透過部材と対向した状態で該ラインセンサと該第１透過部材との間に介在する第１スペーサを備えていてもよい。
【００２１】
第１スペーサは、ラインセンサの移動方向に厚みが階段状又はくさび状に変化するものである。このため、ラインセンサは、駆動部により移動されることで第１透過部材に対して接近又は離間される。
【００２２】
(5)  上記プレスキャンの結果に基づいて上記読取領域を区画する第１モード、又はユーザ設定に基づいて上記読取領域を区画する第２モードの選択を受け付ける第１受付部を備え、上記区画部は、上記第１受付部により第１モードの選択が受け付けられたことを条件に上記ラインセンサに上記プレスキャンを実行させて該プレスキャンで得られた原稿の画像に基づいて上記読取領域を区画し、上記第１受付部により第２モードの選択が受け付けられたことを条件に上記ラインセンサに上記プレスキャンを実行させることなく上記ユーザ設定に基づいて上記読取領域を区画するものでもよい。
【００２３】
本発明の画像読取装置では、第１受付部により第１モード又は第２モードの選択が受け付けられる。第１モードは、プレスキャンの結果に基づいて読取領域を区画するものである。第２モードは、ユーザ設定に基づいて読取領域を区画するものである。第１モードの選択が受け付けられると、搬送される原稿のプレスキャンがラインセンサにより実行される。そして、そのプレスキャンで得られた原稿の画像に基づいて、本スキャンで読み取られるその原稿の読取領域が区画される。これにより、例えば、プレスキャンで得られた原稿の画像を解析して読取領域を区画したり、或いはプレスキャンで得られた原稿の画像を表示してユーザの操作に基づいて読取領域を区画することが可能となる。第２モードの選択が受け付けられると、本スキャンで読み取られる原稿の読取領域がユーザ設定に基づいて区画される。例えば、複数の原稿に対して同じ読取領域を設定することにより、複数の原稿が同じ条件で読み取られる。なお、第２モードでは原稿のプレスキャンは行われない。
【００２４】
(6)  本発明の画像読取装置は、上記本スキャンで得られた原稿の画像を白基準データに基づいてシェーディング補正する補正部と、上記シェーディング補正される原稿の画像の読取領域に応じて上記白基準データを変更する変更部と、を備えていてもよい。
【００２５】
本スキャンで得られた原稿の画像は、白基準データに基づいて読取領域毎にシェーディング補正される。搬送される原稿の本スキャンでは相対距離が変更されるため、原稿からラインセンサへの反射光の光量が原稿の読取中に変化する。読取領域に応じて白基準データが変更されることにより、相対距離の変化に対応して一定品質の原稿の画像を得ることが可能となる。
【００２６】
(7)  上記区画部は、上記読取領域を第１領域及び第２領域に区画するものであって、上記第１制御部は、上記相対距離を上記ラインセンサの焦点距離に略一致させた状態で該ラインセンサに上記第１領域を読み取らせ、上記相対距離を上記焦点距離と異ならせた状態で上記ラインセンサに上記第２領域を読み取らせるものでもよい。
【００２７】
原稿の読取領域は、区画部により第１領域及び第２領域に区画される。ラインセンサは、相対距離がラインセンサの焦点距離と略一致する位置に配置される。この状態で、搬送される原稿は、第１透過部材を通してラインセンサにより第１領域が読み取られる。ラインセンサは、相対距離がラインセンサの焦点距離と異なる位置に配置される。この状態で、搬送される原稿は、第１透過部材を通してラインセンサにより第２領域が読み取られる。原稿の第１領域がラインセンサのピントがあった状態で読み取られると共に、その原稿の第２領域がラインセンサのピントがずれた状態で読み取られる。その結果、第１領域が鮮明で第２領域がぼかされた原稿の画像が得られる。
【００２８】
(8)  上記第１領域又は上記第２領域を指定する指定情報を入力するための第１設定画面を表示する第１表示部と、上記第１設定画面に対する上記指定情報の入力を受け付ける第２受付部とを備え、上記区画部は、上記第２受付部により入力が受け付けられた指定情報に基づいて上記読取領域を区画するものでもよい。
【００２９】
画像読取装置では、第１設定画面が表示される。第１設定画面は、第１領域又は第２領域を指定する指定情報を入力するためのものである。ユーザは、この第１設定画面に従って指定情報を入力する。入力された指定情報に基づいて、原稿の読取領域が第１領域及び第２領域に区画される。このため、ユーザが画像読取装置において第１領域又は第２領域を任意に指定して原稿の一部の領域をぼかして読み取らせることが可能となる。
【００３０】
(9)  上記第１領域又は上記第２領域を指定する指定情報を自装置と通信可能に接続された端末装置から受信する第１受信部を備え、上記区画部は、上記第１受信部により受信された指定情報に基づいて上記読取領域を区画するものでもよい。
【００３１】
画像読取装置は、端末装置と通信可能に接続されている。端末装置から送信された指定情報は、第１受信部により受信される。本スキャンにおける原稿の読取領域は、この指定情報に基づいて第１領域及び第２領域に区画される。このため、ユーザが端末装置において第１領域と第２領域を任意に指定して原稿の一部の領域をぼかして読み取らせることが可能となる。
【００３２】
(10)  上記プレスキャンで得られた原稿の画像を表示する第２表示部と、上記表示された原稿の画像に対して上記第１領域又は上記第２領域を指定する指定情報の入力を受け付ける第３受付部とを備え、上記区画部は、上記第３受付部により入力が受け付けられた指定情報に基づいて上記読取領域を区画するものでもよい。
【００３３】
画像読取装置では、プレスキャンされた原稿の画像が第２表示部により表示される。表示された原稿の画像に対して、領域を指定する指定情報の入力が第３受付部により受け付けられる。本スキャンにおける原稿の読取領域は、この指定情報に基づいて第１領域及び第２領域に区画される。このため、ユーザは、画像読取装置において表示されたプレスキャンの画像を見て原稿のぼかしたい領域を容易に指定することが可能となる。
【００３４】
(11)  上記プレスキャンで得られた原稿の画像を自装置と通信可能に接続された端末装置へ転送する転送部と、上記転送された原稿の画像に対して上記第１領域又は上記第２領域を指定する指定情報を上記端末装置から受信する第２受信部とを備え、上記区画部は、上記第２受信部により受信された指定情報に基づいて上記読取領域を区画するものでもよい。
【００３５】
画像読取装置は、端末装置と通信可能に接続されている。ラインセンサによるプレスキャンで得られた原稿の画像は、端末装置へ転送される。例えば、端末装置では、原稿の画像がモニタに表示される。モニタに表示された原稿の画像を見たユーザの操作入力に基づいて、端末装置で指定情報が生成される。この指定情報は、画像読取装置へ送信されて第２受信部により受信される。本スキャンにおける原稿の読取領域は、この指定情報に基づいて第１領域及び第２領域に区画される。
【００３６】
(12)  上記第１領域又は上記第２領域を指定する指定情報を保存する第１保存部と、上記第１保存部に保存されている指定情報の選択を受け付ける第４受付部とを備え、上記区画部は、上記第４受付部により指定情報の選択が受け付けられたことを条件に、当該指定情報に基づいて上記読取領域を区画するものでもよい。
【００３７】
第４受付部により、第１保存部に保存されている指定情報の選択が受け付けられる。原稿の読取領域は、この指定情報に基づいて第１領域及び第２領域に区画される。このため、複数の原稿に対して同じ第１領域と第２領域を指定して原稿を読み取る場合に、原稿毎の指定情報の入力が不要となる。
【００３８】
(13)  文字又は図形を入力するための第２設定画面を表示する第３表示部と、上記第２設定画面に対する文字又は図形の入力を受け付ける第５受付部と、上記プレスキャンで得られた原稿の画像から上記第５受付部により入力が受け付けられた文字又は図形を検出する検出部とを備え、上記区画部は、上記検出部により検出された文字又は図形を含む領域を上記第２領域に区画するものでもよい。
【００３９】
画像読取装置では、第２設定画面が表示される。第２設定画面は、文字又は図形を入力するためのものである。ユーザは、第２設定画面に従って文字又は図形を入力する。入力された文字又は図形は、第５受付部により受け付けられる。検出部は、この文字又は図形をプレスキャンで得られた原稿の画像から検出する。検出された文字又は図形を含む領域が、区画部により第２領域に区画される。このため、ユーザが文字又は図形を入力することにより、その文字又は図形を含む領域をぼかして読み取らせることが可能となる。
【００４０】
(14)  上記プレスキャンで得られた原稿の画像を自装置と通信可能に接続された端末装置へ転送する第２転送部と、上記原稿の画像の転送に応じて上記端末装置から送信された文字又は図形を受信する第３受信部と、上記プレスキャンで得られた原稿の画像から上記第３受信部により受信された文字又は図形を検出する検出部とを備え、上記区画部は、上記検出部により検出された文字又は図形を含む領域を上記第２領域に区画するものでもよい。
【００４１】
画像読取装置は、端末装置と通信可能に接続されている。ラインセンサによるプレスキャンで得られた原稿の画像は、端末装置へ転送される。例えば、端末装置では、原稿の画像がモニタに表示される。モニタに表示された原稿の画像を見たユーザの操作入力に基づいて、端末装置で文字又は図形の情報が生成される。この文字又は図形は、画像読取装置へ送信されて第３受信部により受信される。本スキャンにおける原稿の読取領域は、この文字又は図形に基づいて第１領域及び第２領域に区画される。
【００４２】
(15)  上記文字又は図形を保存する第２保存部と、上記第２保存部に保存されている文字又は図形の選択を受け付ける第６受付部とを備え、上記検出部は、上記第６受付部により文字又は図形の選択が受け付けられたことを条件に、当該文字又は図形を上記プレスキャンで得られた原稿の画像から検出するものでもよい。
【００４３】
第６受付部により、第２保存部に保存されている文字又は図形の選択が受け付けられる。原稿の読取領域は、この文字又は図形を含む領域が第２領域に区画される。このため、複数の原稿に対して同じ第１領域と第２領域を指定して原稿を読み取る場合に、原稿毎の文字又は図形の入力が不要となる。
【００４４】
(16)  本発明の画像読取装置は、上記相対距離が相異なる複数の位置で所定のパターンが記録されたテスト原稿を上記第１透過部材を通して読み取る動作を上記ラインセンサに実行させる第２制御部と、上記動作で得られた上記テスト原稿の画像信号に基づいて上記複数の位置毎にＭＴＦ（Modulation Transfer Function）値を求める演算部と、上記本スキャンにおいて上記搬送される原稿の第１領域を読み取る際に上記ラインセンサが上記駆動部により配置される読取位置、及び該原稿の第２領域を読み取る際に上記ラインセンサが上記駆動部により配置される読取位置を上記各ＭＴＦ値に基づいて決定する決定部と、を備えていてもよい。
【００４５】
テスト原稿は、例えば白黒のパターンが記録されたものである。テスト原稿は、第１透過部材を通してラインセンサにより読み取られる。ラインセンサは、駆動部により第１透過部材に対して移動される。第１透過部材に対するラインセンサの位置が変更され、ラインセンサによりテスト原稿が読み取られる。これにより、ラインセンサが配置された位置毎にテスト原稿の画像信号が得られる。これらの画像信号に基づいてラインセンサの位置毎にＭＴＦ値が求められる。そして、各ＭＴＦ値に基づいて、第１領域を読み取る際にラインセンサが配置される読取位置、及び第２領域を読み取る際にラインセンサが配置される読取位置が決定される。これにより、第１領域と第２領域に対して相対距離が変更される。
【００４６】
(17)  上記決定部は、ＭＴＦ値が最大となる位置を上記第１領域を読み取る上記ラインセンサの読取位置に決定するものでもよい。
【００４７】
上記構成により、原稿の第１領域は、ラインセンサのピントがあった状態で本スキャンされる。このため、第１領域が鮮明な原稿の画像が得られる。
【００４８】
(18)  上記決定部は、ＭＴＦ値が最大値の所定％以下となる位置を上記第２領域を読み取る上記ラインセンサの読取位置に決定するものでもよい。
【００４９】
所定％を適切な値に設定しておくことにより、本スキャンによって第２領域が好適にぼかされた原稿の画像が得られる。
【００５０】
(19)  上記ラインセンサの明度基準として該ラインセンサに読み取られる基準部材を備え、上記第１制御部は、上記基準部材における読取面と上記ラインセンサとの相対距離を上記駆動部を駆動させて変更するものでもよい。
【００５１】
上記構成により、基準部材と読取面までの距離を一致させることが可能となる。ラインセンサが第１透過部材を通して原稿を読み取る際の光量と、ラインセンサが基準部材を読み取る際の光量とに光量差が生じることが防止される。
【００５２】
(20)  上記基準部材における読取面は、上記ラインセンサが移動する平面に対して傾斜されていてもよい。
【００５３】
上記構成により、ラインセンサと基準部材との相対距離を変更するための部材を新たに追加することなく相対距離が容易に変更される。
【００５４】
(21)  本発明の画像読取装置は、上記ラインセンサが移動する方向に厚みが階段状又はくさび状に変化し、該ラインセンサが上記基準部材と対向した状態で該ラインセンサと該基準部材との間に介在する第２スペーサを備えていてもよい。
【００５５】
第２スペーサは、ラインセンサの移動方向に厚みが階段状又はくさび状に変化するものである。このため、ラインセンサは、駆動部により移動されることで基準部材に対して接近又は離間される。
【発明の効果】
【００５６】
本発明によれば、搬送される原稿の本スキャンにおいて、ラインセンサを移動させる駆動部の駆動により、第１透過部材における原稿の読取面とラインセンサとの相対距離が、区画された領域に応じて変更される。このため、駆動部とは別の駆動源を設けることなく、例えば搬送される原稿の一部の領域をぼかして読み取ることができる。
【発明を実施するための最良の形態】
【００５７】
以下、適宜図面が参照されて本発明の実施形態が説明される。なお、本実施形態は本発明の一例にすぎず、本発明の要旨を変更しない範囲で、実施形態を適宜変更できることは言うまでもない。
【００５８】
［第１実施形態］
図１は、本発明の第１実施形態に係るスキャナ１０の外観構成を示す斜視図であり、原稿カバー１７が開かれた状態を示す。
【００５９】
スキャナ１０（本発明に係る画像読取装置の一例）は、原稿の画像を読み取るスキャナ機能を有するものである。本実施形態においては、スキャナ機能のみを有するスキャナ１０を例に本発明が説明される。ただし、本発明に係る画像読取装置はスキャナ１０に限定されるものではない。本発明に係る画像読取装置は、スキャナ機能を有するものであれば、コピー機やファクシミリ機、複数の機能を併せ持つ複合機（Multi Function Device）として実現されてもよい。
【００６０】
図１に示されるように、スキャナ１０は、原稿台１１を備える。原稿台１１は、フラットベッドスキャナ（ＦＢＳ：Flat Bed Scanner）として機能するものである。原稿台１１は、略直方体の筐体１５を有する。筐体１５の内部にはラインセンサ４０（図２及び図３参照）が設けられている。スキャナ１０では、このラインセンサ４０により原稿の画像が読み取られる。
【００６１】
図１に示されるように、スキャナ１０は、原稿カバー１７を備える。原稿カバー１７は、後述の第２ガラス２０（本発明の第２透過部材の一例）に載置された原稿を第２ガラス２０に密着させるものである。原稿カバー１７は、原稿台１１に対して開閉自在に設けられている。具体的には、原稿カバー１７は、原稿台１１の背面側の蝶番（不図示）を介して原稿台１１と回動可能に連結されている。この原稿カバー１７は、自動原稿搬送機構（ＡＤＦ：Auto Document Feeder）２８を備えている。
【００６２】
図２は、本発明の第１実施形態に係るスキャナ１０における搬送路１２の一部を示す模式断面図である。
【００６３】
図１及び図２に示されるように、ＡＤＦ２８は、原稿トレイ２２に載置された原稿を搬送路１２に沿って排紙トレイ２３へ搬送するものである。すなわち、搬送路１２は、原稿が搬送される経路である。なお、図２においては、原稿トレイ２２と搬送路１２における原稿トレイ２２側の一部が省略されている。原稿トレイ２２（図１参照）及び排紙トレイ２３（図２参照）は、原稿トレイ２２を上側として上下二段となるように原稿カバー１７に設けられている。搬送路１２は、縦断面視において横向き略Ｕ字形状となるようにＡＤＦ２８の内部に設けられている。搬送路１２は、ＡＤＦ２８本体を構成する部材やガイド板、ガイドリブ等により、原稿が通過可能な所定幅の通路として連続的に形成されている。この搬送路１２により原稿トレイ２２と排紙トレイ２３とが連結されている。
【００６４】
搬送路１２には、原稿を搬送する複数のローラ７３（図４参照）が配設されている。図には示されていないが、ローラ７３は、所謂ピックアップローラ、分離ローラ、搬送ローラ、及び排紙ローラから構成される。これらの各ローラ７３には、単一のモータ７２（図４参照）から駆動力が伝達される。各ローラ７３の回転力が原稿に伝達され、原稿が原稿トレイ２２から排紙トレイ２３へ向けて搬送路１２に沿って搬送される。図２に示されるように、搬送路１２の途中には、第１ガラス１８（本発明の第１透過部材の一例）が設けられている。原稿カバー１７が閉じられた状態において、原稿トレイ２２に載置された原稿は、ＡＤＦ２８により搬送路１２に沿って搬送されて第１ガラス１８上を通過する。その際、原稿は、第１ガラス１８の下方に待機するラインセンサ４０によりその画像が読み取られる。原稿は、さらに搬送されて排紙トレイ２３へ排出される。
【００６５】
図１に示されるように、筐体１５の一部を構成する上カバー１６の天面には、第１ガラス１８及び第２ガラス２０が配設されている。第１ガラス１８（図１及び図２参照）は、透明なガラス板やアクリル板等からなる透過板である。原稿トレイ２２に原稿が載置されて原稿の読取開始が指示されると、ラインセンサ４０が第１ガラス１８と対向する位置（例えば図５参照）に配置される。このラインセンサ４０により、第１ガラス１８上を搬送される原稿の画像が第１ガラス１８を通してラインセンサ４０により読み取られる。
【００６６】
第２ガラス２０（図１及び図２参照）は、原稿台１１をＦＢＳとして使用する場合に原稿が載置されるものである。第２ガラス２０は、透明なガラス板やアクリル板等からなる透過板である。第２ガラス２０に原稿が載置されて原稿の読取開始が指示されると、ラインセンサ４０が第２ガラス２０に対向して原稿の副走査方向（矢印３８で示される方向）へ移動される。その過程で、第２ガラス２０上の原稿の画像が第２ガラス２０を通してラインセンサ４０により読み取られる。
【００６７】
原稿台１１の天面における第１ガラス１８と第２ガラス２０との間には、区画部材５１（図１及び図２参照）が設けられている。区画部材５１は、第１ガラス１８及び第２ガラス２０と同様に、スキャナ１０の奥行き方向（図３における矢印３９で示される方向）に延設された長尺の部材である。図２に示されるように、区画部材５１は、スキャナ１０の幅方向（矢印３８で示される方向）の断面が略Ｌ字形状のものである。第１ガラス１８は、その短手方向の一端（図２における右側）が区画部材５１により支持されている。区画部材５１は、第２ガラス２０に原稿を載置する際に原稿の位置決め基準として用いられる。区画部材５１には、中央位置やＡ４（日本工業規格Ａ列４番）サイズ、Ｂ５（日本工業規格Ｂ列５番）サイズ等の各種原稿サイズの両端位置を示す表示が記されている。原稿は、区画部材５１に記された中央位置を基準として第２ガラス２０に載置される。
【００６８】
第１ガラス１８及び第２ガラス２０は、原稿カバー１７が開かれることによりその上面が露出される（図１参照）。原稿カバー１７が閉じられることにより、第１ガラス１８及び第２ガラス２０を含む原稿台１１の上面全体が原稿カバー１７に覆われる。原稿カバー１７の下面には、第２ガラス２０を覆う原稿押さえ１９（図１参照）が設けられている。原稿押さえ１９は、第２ガラス２０上に載置された原稿を押さえるために、スポンジ及び白板等から構成されている。原稿カバー１７が閉じられると、第２ガラス２０に載置された原稿は、原稿カバー１７により原稿押さえ１９を介して第２ガラス２０へ向けて押圧される。また、第１ガラス１８は、原稿台１１の上面に設けられているので、原稿カバー１７が閉じられることにより搬送路１２の一部を構成する。このため、ＡＤＦ２８は、原稿台１１に対して原稿カバー１７が閉じられた状態で使用される。
【００６９】
図３は、原稿台１１の内部構成を示す平面図である。なお、図３においては、上カバー１６が取り外された状態が示されている。
【００７０】
図３に示されるように、原稿台１１における筐体１５の内部には、画像読取ユニット１４が設けられている。画像読取ユニット１４は、第１ガラス１８又は第２ガラス２０を通して原稿を読み取るものである。画像読取ユニット１４は、ラインセンサ４０、キャリッジ４１、ガイドシャフト４２、及びベルト駆動機構４３から構成される。
【００７１】
ラインセンサ４０（図２及び図３参照）は、光源から原稿へ光照射して原稿からの反射光を主走査ライン毎に読み取るものである。ラインセンサ４０としては、焦点距離が短い読取デバイスが使用される。本実施形態においては、ラインセンサ４０は、いわゆる密着型のイメージセンサ（ＣＩＳ：Contact Image Sensor）である。図には示されていないが、ラインセンサ４０は、光源、レンズ、及び受光素子を備える。ラインセンサ４０は、光源から第１ガラス１８又は第２ガラス２０を通して原稿に光を照射する。すなわち、ラインセンサ４０は、ＡＤＦ２８により搬送される原稿に第１ガラス１８を通して光を照射し、又は第２ガラス２０に載置された原稿に第２ガラス２０を通して光を照射する。ラインセンサ４０は、原稿からの反射光をレンズにより受光素子に集光して電気信号（画像信号）に変換する。これにより、原稿の画像が得られる。ラインセンサ４０の受光素子は、例えばチップ単位で原稿の主走査方向（矢印３９で示される方向）に並べて配置されている。ラインセンサ４０の光源及びレンズは、この受光素子と同方向に配列されている。
【００７２】
キャリッジ４１は、その上側にラインセンサ４０を搭載する（図２参照）。ラインセンサ４０は、コイルバネ７４を介してキャリッジ４１のバネ受け部６４上に搭載されている。筐体１５の内部には、その幅方向（図３における左右方向）にわたってガイドシャフト４２が架設されている。キャリッジ４１は、このガイドシャフト４２と嵌合している。キャリッジ４１は、ベルト駆動機構４３により駆動されてガイドシャフト４２上を矢印３８で示される方向へ移動する。キャリッジ４１の長手方向の両端に対応するキャリッジ４１の上面には、ローラ３０（図２及び図３参照）が設けられている。各ローラ３０は、キャリッジ４１の移動方向（矢印３８で示される方向）に転動可能な状態でキャリッジ４１にそれぞれ軸支されている。各ローラ３０は、キャリッジ４１の上面から均等に上方へ突出している。筐体１５の上面側には、ガイド部材３４（図２参照）が設けられている。ガイド部材３４は、キャリッジ４０の移動方向に延設された細長の平板部材である。このガイド部材３４は、ローラ３０が移動する軌跡に沿うように配置されている。各ローラ３０は、ガイド部材３４の裏面に当接する。これにより、ラインセンサ４０の上面と第２ガラス２０の裏面との間に一定の間隙が形成される。この一定の間隙により、ラインセンサ４０の焦点が第２ガラス２０の上面に一致している。各ローラ３０の転動により、キャリッジ４１がガイド部材３４に沿って円滑に移動される。ラインセンサ４０がキャリッジ４１に搭載されているので、ラインセンサ４０は、第１ガラス１８又は第２ガラス２０に対向して移動される。
【００７３】
ベルト駆動機構４３（図３参照）は、駆動ベルト４４、駆動プーリ４５、及び従動プーリ４６から構成される。図３に示されるように、駆動プーリ４５及び従動プーリ４６は、筐体１５の幅方向の両端にそれぞれ設けられている。駆動ベルト４４は、内側に歯が設けられた無端環状のものであり、駆動プーリ４５と従動プーリ４６との間に張架されている。駆動プーリ４５の軸には、ＣＲ（キャリッジ）モータ６５（本発明の駆動部に相当する：図４参照）から駆動力が伝達される。駆動プーリ４５の回転により駆動ベルト４４が周運動し、キャリッジ４１に搭載されたラインセンサ４０が第１ガラス１８又は第２ガラス２０に対向して移動される。なお、ＣＲモータ６５としては例えばステッピングモータが用いられる。スキャナ１０の幅方向（矢印３９で示される方向）におけるラインセンサ４０の位置は、ＣＲモータ６５のステップ数を測定することによって制御部５５（図４参照）により監視される。
【００７４】
ＡＤＦ２８により搬送される原稿は、第１ガラス１８に沿って移動される。原稿は、第１ガラス１８の下方に配置されたラインセンサ４０によりその画像が第１ガラス１８を通して読み取られる。このため、第１ガラス１８の上面には、ラインセンサ４０による原稿の読取面２５（図２参照）が構成される。ここで、読取面２５は、第１ガラス１８におけるラインセンサ４０の読取領域である。つまり、第１ガラス１８上を通過する原稿は、第１ガラス１８の上面における読取面２５においてラインセンサ４０によりその画像が読み取られる。図２に示されるように、読取面２５は、ラインセンサ４０が移動する平面（図３の紙面に平行な面：以下、「移動面」とも称される。）に対して傾斜されている。本実施形態においては、読取面２５は、搬送路１２における原稿の搬送方向上流側（図２における左側）よりも下流側（図２における右側）が移動面から離間されている（図２参照）。このため、搬送中の原稿は、第１ガラス１８に当接して押し付けられる。その結果、第１ガラス１８に対する原稿の浮きが原因でラインセンサ４０の上面と読取面２５との相対距離が変化することが防止される。
【００７５】
ラインセンサ４０は、ＣＲモータ６５から付与される駆動力により、第１ガラス１８と対向して移動される。ＣＲモータ６５の駆動は、後述の制御部５５（図４参照）により制御される。この制御部５５が本発明の区画部、第１制御部、第１受付部、変更部、第２受付部、第１受信部、第３受付部、第１転送部、第２受信部、第４受付部、第５受付部、検出部、第２転送部、第３受信部、第６受付部、第２制御部、演算部、決定部に相当する。上述のように、第１ガラス１８における読取面２５は、移動面に対して傾斜されている。制御部５５は、ＣＲモータ６５を駆動させてラインセンサ４０（キャリッジ４１）を矢印３８で示される方向へ移動させる。ラインセンサ４０の位置に応じて、読取面２５の位置が第１ガラス１８の短手方向に移動する（図５参照）。これにより、制御部５５は、第１ガラス１８における原稿の読取面２５とラインセンサ４０との相対距離（以下、「第１相対距離」とも称される。）を変更する（図５中のＤ１、Ｄ２参照）。ラインセンサ４０の駆動源であるＣＲモータ６５を利用して第１相対距離が変更されるので、簡易な構成で第１相対距離を変更することが可能である。すなわち、第１相対距離を変更するための部材を新たに追加することなく第１相対距離が容易に変更される。第１相対距離が変更されることにより、原稿の読取面２５に対してラインセンサ４０のピントを変更して、ＡＤＦ２８により搬送される原稿を読み取ることができる。
【００７６】
なお、移動面に対する読取面２５の傾斜角は、特に限定されるものではない。ただし、傾斜角は、ラインセンサ４０のＭＴＦ（Modulation Transfer Function）特性に基づいて設定されることが好ましい。傾斜角を大きくすると、ラインセンサ４０の移動に対する第１相対距離の変化が大きくなる。逆に、傾斜角を小さくすると、ラインセンサ４０の移動に対する第１相対距離の変化は小さくなる。したがって、ラインセンサ４０としてピントが合う範囲が非常に狭い読取デバイスを使用する場合には、傾斜角を小さめに設定することが好ましい。逆に、ラインセンサ４０としてピントが合う範囲が広い読取デバイスを使用する場合には、傾斜角を大きめに設定してもよい。
【００７７】
また、読取面２５は、搬送路１２における原稿の搬送方向下流側よりも上流側が移動面から離間されていてもよい。ただし、読取面２５に対する原稿の浮きを防止するために、読取面２５は、図２に示されるように、原稿の搬送方向上流側よりも下流側が移動面から離間されていることが好ましい。
【００７８】
図２に示されるように、第１ガラス１８の上方にはプラテン４９が設けられている。プラテン４９は、第１ガラス１８と対向する面が第１ガラス１８に沿ってスキャナ１０の奥行き方向（図３における矢印３９で示される方向）に延設されている。プラテン４９は、ＡＤＦ２８を構成する部材（不図示）にコイルバネ３５を介して取り付けられている。図には示されていないが、プラテン４９の長手方向の両端には、第１ガラス１８へ向けて突出する凸部が設けられている。この凸部により、原稿カバー１７が閉じられた際に第１ガラス１８とプラテン４９とが所定の間隔を隔てて対向配置される（図２参照）。所定の間隔は、原稿の厚さよりも若干長く設定されている。このため、原稿は、その移動がプラテン４９に規制されることなく第１ガラス１８に沿って円滑に搬送される。
【００７９】
図１及び図２に示されるように、第１ガラス１８を挟んで第２ガラス２０の反対側には、基準部材３７が設けられている。基準部材３７は、上カバー１６の裏面に設けられている。この基準部材３７は、ラインセンサ４０の明度基準としてラインセンサ４０によりその画像が読み取られるものである。基準部材３７は、図４に示される第１光量調整値１０１、第２光量調整値１０２、第１白基準データ９０（本発明の白基準データの一例）、及び第２白基準データ９１（本発明の白基準データの一例）の取得に用いられる。なお、第１光量調整値１０１、第２光量調整値１０２、第１白基準データ９０、及び第２白基準データ９１の取得については後に詳述される。
【００８０】
基準部材３７は、ラインセンサ４０の主走査方向にラインセンサ４０と略同じ長さを有する薄膜帯状の部材であり、ラインセンサ４０と対向する面が白色のものである。基準部材３７は、上カバー１６に形成された傾斜部４８の裏面に貼設されている。傾斜部４８は、移動面に対して第１ガラス１８と同じ傾斜角で傾斜されている。このため、基準部材３７における読取面２７は、第１ガラス１８における読取面２５と略同じ角度で移動面に対して傾斜されている。ここでの読取面２７は、基準部材３７の裏面全体を指すものではなく、基準部材３７においてラインセンサ４０により読み取られる面を意味する。なお、図２に示されるように、第１ガラス１８及び基準部材３７は、スキャナ１０の幅方向に対して線対称に傾斜されている。
【００８１】
制御部５５は、ＣＲモータ６５を駆動させてラインセンサ４０（キャリッジ４１）を移動させることにより、基準部材３７の読取面２７とラインセンサ４０との相対距離（以下、「第２相対距離」とも称される。）を変更する。ラインセンサ４０の駆動源であるＣＲモータ６５を利用して第２相対距離が変更されるので、簡易な構成で第２相対距離を変更することが可能である。すなわち、ラインセンサ４０と基準部材３７との第２相対距離を変更するための部材を新たに追加することなく第２相対距離が容易に変更される。第２相対距離が変更されることにより、ラインセンサ４０のピントを変更して、読取面２７を読み取ることができる。
【００８２】
図１に示されるように、スキャナ１０の正面上部には、操作パネル１３（本発明の第１表示部、第２表示部、第３表示部に相当する）が設けられている。操作パネル１３は、各種情報を表示する液晶ディスプレイ、ユーザが情報を入力する入力キー、タッチパネル等から構成される。スキャナ１０は、この操作パネル１３からの操作入力に基づいて動作する。第２ガラス２０に載置された原稿、或いは、原稿トレイ２２に載置された原稿の読み取り開始を指示するユーザの操作入力は、この操作パネル１３から行われる。なお、スキャナ１０は、操作パネル１３からの指示のほか、端末装置１４０（図４参照）に接続されて端末装置１４０からスキャナドライバ等を介して送信される指示によっても動作される。
【００８３】
図４は、スキャナ１０の制御部５５の構成例を示すブロック図である。
【００８４】
制御部５５は、スキャナ１０の全体動作を制御する。図４に示されるように、制御部５５は、ＣＰＵ（Central Processing Unit）５６、ＲＯＭ（Read Only Memory）５７、ＲＡＭ（Random Access Memory）５８、及びＥＥＰＲＯＭ（Electrically Erasable and Programmable ROM）５９を主とするマイクロコンピュータとして構成されている。この制御部５５は、バス６０を介してモータ制御回路１２４、モータ制御回路１２５、読取制御回路１２６、画像処理制御回路１２７、パネル制御回路１２８、センサ入力回路１２９、及びＬＡＮ Ｉ／Ｆ（Local Area Network Interface）６１に接続されている。
【００８５】
ＲＯＭ５７は、ＣＰＵ５６によってスキャナ１０の各種動作を制御する制御プログラム等を格納する。ＲＡＭ５８は、ＣＰＵ５６により制御プログラムを実行する際に用いる各種データを一時的に記憶する記憶領域又は作業領域である。図４に示されるように、ＲＡＭ５８は、第１光量調整値１０１、第２光量調整値１０２、第１白基準データ９０、第２白基準データ９１等のデータを記憶する。これらのデータについては、後に詳述される。
【００８６】
ＲＡＭ５８は、読取モード情報２４（図４参照）を記憶する。読取モード情報２４は、操作パネル１３からの操作入力又は端末装置１４０からの指示に基づいて制御部５５が設定した原稿の読取モードを示す情報である。ＡＤＦ２８により搬送される原稿の読み取りは、この読取モード情報２４に基づいて行われる。本実施形態においては、制御部５５は、通常モード、及びぼかしモードのいずれかを設定する。通常モードは、制御部５５が第１相対距離をラインセンサ４０の焦点距離に略一致させた状態でラインセンサ４０により第１ガラス１８を通して原稿を読み取る読取モードである。換言すれば、通常モードは、第１ガラス１８における原稿の読取面２５にラインセンサ４０のピント（焦点）を合わせた状態で原稿を読み取る読取モードである。ぼかしモードは、ラインセンサ４０のピントを読取面２５に合わせた状態で原稿の一部の領域（後述の第１領域）を読み取り、ラインセンサ４０のピントを読取面２５から大きくずらした状態で原稿の残りの領域（後述の第２領域）を読み取る読取モードである。
【００８７】
ＥＥＰＲＯＭ５９は、電源オフ後も保持すべき各種設定やフラグ等を格納する。本実施形態においては、ＥＥＰＲＯＭ５９は、第１位置３１及び第２位置３２を格納する。これらの情報は、ＲＡＭ５８に設定される読取モード情報２４に対してラインセンサ４０が配置される副走査方向の読取位置を示す情報である。第１位置３１は、読取面２５に対してラインセンサ４０のピントが合う読取位置である。第２位置３２は、読取面２５からラインセンサ４０のピントが大きくずれた読取位置である。
【００８８】
図５は、ラインセンサ４０の読取位置を例示した模式断面図であり、（Ａ）は第１位置３１に対応する読取位置、（Ｂ）は第２位置３２に対応する読取位置を示す。
【００８９】
ＲＡＭ５８の読取モード情報２４が通常モードに設定され、ＡＤＦ２８により搬送される原稿が読み取られる。通常モードでは、ラインセンサ４０が第１位置３１に対応する読取位置（図５（Ａ）参照）に配置された状態で、搬送される原稿の画像が読取面２５において読み取られる。第１位置３１は、読取面２５に対してラインセンサ４０のピントが合う位置なので、解像度の高い鮮明な原稿の画像が得られる。すなわち、通常モードは、原稿を忠実に再現するのに適した読取モードである。
【００９０】
ＲＡＭ５８の読取モード情報２４がぼかしモードに設定され、ＡＤＦ２８により搬送される原稿が読み取られる。ぼかしモードでは、ラインセンサ４０が第１位置３１に対応する読取位置（図５（Ａ）参照）に配置された状態で、搬送される原稿における第１領域の画像が読み取られる。また、その原稿は、ラインセンサ４０が第２位置３２に対応する読取位置（図５（Ｂ）参照）に配置された状態で、第２領域の画像が読み取られる。これにより、第１領域が鮮明で第２領域が識別不能なまでにぼかされた原稿の画像が得られる。第１位置３１、及び第２位置３２の決定方法、各読取モードにおける原稿の読取動作については、後に詳述される。
【００９１】
図４に示されるように、モータ制御回路１２４には、駆動回路７１が接続されている。モータ制御回路１２５には、駆動回路６６が接続されている。読取制御回路１２６には、ラインセンサ４０及びＡＦＥ（Analog Front End）回路７８が接続されている。画像処理制御回路１２７には、画像処理回路７９（本発明の補正部に相当）が接続されている。パネル制御回路１２８には、操作パネル１３が接続されている。センサ入力回路１２９には、原稿検出センサ３６が接続されている。ＬＡＮ Ｉ／Ｆ６１には、ＬＡＮ（Local Area Network）１０８を介して端末装置１４０が接続されている。
【００９２】
駆動回路７１は、モータ７２を駆動させるものである。モータ７２は、正逆双方向に回転可能に構成されている。駆動回路７１は、モータ制御回路１２４からの出力信号を受けて、モータ７２を回転させるパルス信号を生成する。このパルス信号に基づいて、モータ７２が回転される。モータ７２は、ローラ７３に駆動力を付与するものであり、ＡＤＦ２８における駆動源である。制御部５５は、駆動回路７１により生成されたパルス信号のパルス数をカウントする。これにより、モータ７２のステップ数がカウントされる。カウントされたステップ数は、ＲＡＭ５８に一時的に記憶される。このステップ数に基づいて、ＡＤＦ２８の搬送路１２における原稿の位置が判断される。
【００９３】
画像読取ユニット１４は、原稿の読取動作を実行して原稿の画像を画像信号として出力するものである。画像読取ユニット１４は、ラインセンサ４０、キャリッジ４１、ＣＲモータ６５、及び駆動回路６６を有する。駆動回路６６は、モータ制御回路１２５から入力される相励磁信号等に基づいて、ＣＲモータ６５に駆動信号を通電する。ＣＲモータ６５は、例えばステッピングモータである。ＣＲモータ６５は、駆動信号を受けて回転する。これにより、キャリッジ４１が往復動される。また、駆動回路６６は、ラインセンサ４０の光源を点灯させるための動作電流の調整等も行う。制御部５５は、ＲＯＭ５７に格納されている制御プログラムに基づいて画像読取ユニット１４を制御することにより、原稿の読取動作の他、第１光量調整値１０１、第２光量調整値１０２、第１白基準データ９０、第２白基準データ９１の取得等を行う。
【００９４】
ラインセンサ４０は、第２ガラス２０に載置された原稿、又はＡＤＦ２８により第１ガラス１８上を搬送される原稿に光源から光を照射してその原稿画像を１ライン毎に読み取る。読み取られた画像は、画像信号（画像データ）としてラインセンサ４０からＡＦＥ回路７８へ出力される。
【００９５】
ラインセンサ４０は、原稿が載置された第２ガラス２０に対向してキャリッジ４１により移動される。この過程において、ラインセンサ４０は、光源から第２ガラス２０を通して原稿へ光照射して原稿からの反射光を１ラインの画像信号として出力する動作を繰り返す。これにより、第２ガラス２０に載置されている原稿全体の画像が得られる。
【００９６】
ラインセンサ４０は、キャリッジ４１により移動されて第１ガラス１８と対向する位置に配置される。この状態で、原稿トレイ２２に載置された原稿は、ＡＤＦ２８により搬送路１２に沿って搬送される。この過程において、ラインセンサ４０は、光源から第１ガラス１８を通して原稿へ光照射して原稿からの反射光を１ラインの画像信号として出力する動作を繰り返す。これにより、第１ガラス１８上を通過する原稿全体の画像が得られる。
【００９７】
ＡＦＥ回路７８は、ラインセンサ４０から出力されたアナログの各画像信号をサンプルホールドし、サンプルホールドされた画像信号をデジタル変換するとともにシリアル化する。デジタル変換は、ラインセンサ４０から出力されたアナログの画像信号を所定ビット数のデジタルコードからなるデジタル信号に変換する処理である。このデジタル変換は、アナログ／デジタル変換器により行われる。ＡＦＥ回路７８に入力されたアナログの画像信号は、例えば８ビット（２５６階調：０〜２５５）のデジタルの画像信号として画像処理回路７９へ出力される。
【００９８】
画像処理回路７９は、ＡＦＥ回路７８から出力された画像信号を画像処理するものである。画像処理回路７９は、ＡＦＥ回路７８から出力された画像信号に対して、シェーディング補正、鮮鋭化（強調）処理、色空間変換、２値化処理等を行う。すなわち、画像処理回路７９は、ＡＤＦ２８により搬送される原稿の本スキャンで得られた原稿の画像をシェーディング補正するものである。画像処理回路７９によるシェーディング補正が行われることで、ラインセンサ４０の受光素子間及び光源のばらつきが補正される。このシェーディング補正は、第１白基準データ９０又は第２白基準データ９１に基づいて行われる。ラインセンサ４０が第１位置３１に対応する読取位置に配置された状態（図５（Ａ）参照）で読み取られた原稿の画像信号は、第１白基準データ９０に基づいてシェーディング補正される。ラインセンサ４０が第２位置３２に対応する読取位置に配置された状態（図５（Ｂ）参照）で読み取られた原稿の画像信号は、第２白基準データ９１に基づいてシェーディング補正される。なお、画像処理回路７９によって行われる他の画像処理は本発明には直接関係しないため、詳細な説明は省略する。
【００９９】
パネル制御回路１２８は、制御部５５からの指示をもとに、操作パネル１３の液晶ディスプレイを制御する信号を生成する。また、パネル制御回路１２８は、操作パネル１３から入力された情報を制御部５５へ伝えるインターフェース回路を備える。
【０１００】
センサ入力回路１２９は、原稿検出センサ３６（図４参照）からの出力信号（センサ信号）をノイズ除去して所定の出力先へ出力する。原稿検出センサ３６は、原稿トレイ２２（図１参照）における原稿の有無を検出するものであり、原稿トレイ２２の所定位置に配置されている。原稿検出センサ３６は、本実施形態においてはメカニカルセンサである。
【０１０１】
原稿検出センサ３６は、透過型の光センサ（フォトインタラプタ）及び回動可能に軸支された遮蔽部材を備える。フォトインタラプタは、光を出射する発光部、及び発光部から出射された光を受光する受光部が対向配置されたものである。原稿検出センサ３６は、このフォトインタラプタの受光部に光が受光されたことに基づいてセンサ信号を出力する。遮蔽部材が発光部と受光部との間の光路を遮断する位置にある状態では、発光部から出射された光が遮蔽部材により遮蔽されて受光部により受光されない。遮蔽部材が検出されているので、原稿検出センサ３６はＯＦＦ状態にある。原稿トレイ２２に原稿が載置されると、原稿が遮蔽部材に当接して遮蔽部材が回動される。これにより、遮蔽部材がフォトインタラプタの光路を遮断する位置から離脱する。このため、発光部から出射した光が受光部により受光される。すなわち、原稿検出センサ３６はＯＮ状態となる。このように、原稿トレイ２２に原稿が載置されることで原稿検出センサ３６の状態が変化する。このため、制御部５５は、センサ入力回路１２９から出力されるセンサ信号に基づいて、原稿トレイ２２における原稿の有無を判断することができる。
【０１０２】
ＬＡＮ Ｉ／Ｆ６１は、ＬＡＮ１０８とスキャナ１０とを通信可能に接続するインターフェースである。ＬＡＮ１０８には端末装置１４０が接続されている。端末装置１４０は、所謂パーソナルコンピュータである。この端末装置１４０は、ユーザが情報を入力するためのキーボードやマウス、各種情報が表示される液晶ディスプレイ等を備える。スキャナ１０は、ＬＡＮ１０８を介して端末装置１４０と通信可能に接続されている。
【０１０３】
ラインセンサ４０の読取位置（第１位置３１と第２位置３２）を設定する処理は、スキャナ１０の電源投入時に行われるか、ユーザによって所定の操作入力が行われるなど、予め定められたタイミングで実行される。また、読取位置を設定する処理は、前回の読取位置の設定処理から所定の時間が経過するか、又は、所定の時間が経過した後に電源が投入された場合に実行されてもよい。
【０１０４】
図６及び図７は、スキャナ１０において電源投入時に行われる読取位置の設定処理の手順を示すフローチャートである。なお、以下のフローチャートに基づいて説明するスキャナ１０の処理は、ＲＯＭ５７に格納されている制御プログラムに基づいて制御部５５が発行する命令に従って行われる。
【０１０５】
制御部５５は、操作パネル１３からユーザによって所定の操作入力が行われたか否かに基づいて、スキャナ１０の電源が投入されたか否かを判断する（Ｓ１）。電源が投入されていないと制御部５５が判断した場合、（Ｓ１：ＮＯ）、スキャナ１０は待機状態となる。制御部５５は、スキャナ１０の電源が投入されたと判断した場合（Ｓ１：ＹＥＳ）、第１位置３１及び第２位置３２がＥＥＰＲＯＭ５９に記憶されているか否かを判断する（Ｓ２）。第１位置３１及び第２位置３２が共に記憶されていると制御部５５が判断した場合（Ｓ２：ＹＥＳ）、処理が終了される。
【０１０６】
制御部５５は、第１位置３１及び第２位置３２がどちらか一方でも記憶されていないと判断した場合（Ｓ２：ＮＯ）、第１位置３１が記憶されているか否かを判断する（Ｓ３）。制御部５５は、第１位置３１が記憶されていないと判断した場合（Ｓ３：ＮＯ）、原稿トレイ２２に対する第１テスト原稿９８（本発明のテスト原稿の一例）の載置を促す旨を報知する（Ｓ４）。例えば、制御部５５は、「原稿トレイに第１テスト原稿をセットしてください」などのメッセージを操作パネル１３に表示させる。
【０１０７】
図８は、第１テスト原稿９８の一例を示す模式図である。図９は、ラインセンサ４０の読取位置が変更される様子を示す模式断面図である。
【０１０８】
図８に示されるように、第１テスト原稿９８は、白と黒の縞パターン（本発明の所定のパターンの一例）が１５０ｌｐｉ（line per inch）のピッチで記録されたものである。第１テスト原稿９８は、パターンの配列方向（図８における左右方向）がスキャナ１０の奥行き方向（矢印３９で示される方向）と略一致するように原稿トレイ２２に載置される。なお、白黒のパターンのピッチは１５０ｌｐｉに限定されるものではなく、ラインセンサ４０の性能などに応じて適宜変更されてもよい。
【０１０９】
制御部５５は、第１テスト原稿９８が原稿トレイ２２に載置されたか否かを原稿検出センサ３６（図４参照）から出力されるセンサ信号に基づいて判断する（Ｓ５）。第１テスト原稿９８が原稿トレイ２２に載置されていないと制御部５５が判断した場合（Ｓ５：ＮＯ）、ステップＳ４の処理が継続される。制御部５５は、原稿トレイ２２に第１テスト原稿９８が載置されたと判断した場合（Ｓ５：ＹＥＳ）、ＣＲモータ６５（図４参照）を制御してラインセンサ４０を読取開始位置へ移動させる（Ｓ６）。読取開始位置は、第１ガラス１８に対するラインセンサ４０の読取可能範囲（図２参照）の左端である（図９（Ａ）参照）。制御部５５は、モータ７２（図４参照）を制御して第１テスト原稿９８を搬送路１２に沿って所定量搬送する。これにより、第１テスト原稿９８に記録されている白黒のパターンが第１ガラス１８の上方に配置される。そして、制御部５５は、ラインセンサ４０により第１ガラス１８を通して第１テスト原稿９８を読み取る（Ｓ７）。このステップＳ７の処理では、第１テスト原稿９８の画像が１ライン分或いは数ライン分読み取られる。制御部５５は、ステップＳ７の処理で得られた第１テスト原稿９８の画像信号、及び以下に示す式１の演算式に基づいてＭＴＦ値を求める（Ｓ８）。
【０１１０】
【数１】
2008219129.tif 000003
【０１１１】
式１の演算式において、Ｉｍａｘは、入力画像の最高濃度である。換言すれば、Ｉｍａｘは、第１テスト原稿９８に記録された画像の最高濃度の理論値である。Ｉｍｉｎは、入力画像の最低濃度である。換言すれば、Ｉｍｉｎは、第１テスト原稿９８に記録された画像の最低濃度の理論値である。Ｄｍａｘは、出力画像の最高濃度である。Ｄｍｉｎは、出力画像の最低濃度である。
【０１１２】
制御部５５は、ステップＳ８の処理に続いて、第１設定数（本実施形態においては１１個）のＭＴＦ値を取得したか否かを判断する（Ｓ９）。制御部５５は、１１個のＭＴＦ値を取得していないと判断した場合（Ｓ９：ＮＯ）、ＣＲモータ６５を制御してラインセンサ４０を読取終了位置（図９（Ｃ）参照）側へ第１距離だけ移動させる（Ｓ１０）。このステップＳ１０の処理が行われることにより、ラインセンサ４０の読取位置が変更される。換言すれば、ラインセンサ４０と第１テスト原稿９８の読取面２５との第１相対距離が変更される。第１ガラス１８における読取面２５は、原稿の搬送方向上流側よりも下流側がラインセンサ４０の移動面から離間されている。このため、ラインセンサ４０が移動されるに伴って、第１相対距離が大きくなる。なお、図９（Ｃ）に示されるように、読取終了位置は、第１ガラス１８に対するラインセンサ４０の読取可能範囲（図２参照）の右端である。
【０１１３】
ステップＳ１０の処理によってラインセンサ４０の読取位置が変更された後、ラインセンサ４０がその読取位置に配置された状態でステップＳ７及びステップＳ８の処理が行われる。制御部５５は、ステップＳ７、ステップＳ８、及びステップＳ１０の処理を順に繰り返すことにより、第１相対距離が相異なる複数（本実施形態においては１１箇所）の位置で第１テスト原稿９８を第１ガラス１８を通して読み取る動作をラインセンサ４０に実行させる。そして、制御部５５は、この動作で得られた第１テスト原稿９８の画像信号に基づいて１１箇所の位置毎にＭＴＦ値を求める。
【０１１４】
図１０は、第１テスト原稿９８を読み取って得られたＭＴＦ特性を示す図である。
【０１１５】
図１０において、横軸は、ＣＲモータ６５を駆動させてラインセンサ４０を移動させることにより変化する、第１ガラス１８における第１テスト原稿９８の読取面２５とラインセンサ４０との相対距離、すなわち第１相対距離を示している。縦軸は、ＭＴＦ値を示している。図１０には、第１相対距離が相異なる１１箇所の読取位置に対応するＭＴＦ値が示されている。横軸の「１」は、ラインセンサ４０が読取開始位置に配置された状態（図９（Ａ）参照）におけるラインセンサ４０と第１テスト原稿９８の読取面２５との第１相対距離に対応している。横軸の「６」は、ラインセンサ４０が読取終了位置に配置された状態（図９（Ｃ）参照）におけるラインセンサ４０と第１テスト原稿９８の読取面２５との第１相対距離に対応している。
【０１１６】
図６に示されるように、制御部５５は、１１個のＭＴＦ値を取得したと判断した場合（Ｓ９：ＹＥＳ）、ＭＴＦ値が最大となる読取位置を第１位置３１（図４参照）に決定する（Ｓ１１）。具体的には、制御部５５は、ステップＳ７〜ステップＳ１０の処理を繰り返して求めた１１個のＭＴＦ値からＭＴＦ曲線６８（図１０参照）を求める。ＭＴＦ値からＭＴＦ曲線６８を求める方法は周知であるため、ここではその方法の説明は省略する。制御部５５は、ＭＴＦ曲線６８からＭＴＦ値が最大となるラインセンサ４０の位置を第１位置３１に決定する。ここでは、図１０のＭＴＦ特性において横軸が「３．５」で表される第１相対距離に対応するＭＴＦ値が最大である。したがって、制御部５５は、横軸が「３．５」で表される第１相対距離Ｄ１（図５（Ａ）参照）となるラインセンサ４０の読取位置（図５（Ａ）及び図９（Ｂ）参照）を第１位置３１に決定する。第１位置３１は、通常モードに対する読取位置を示す情報である。また、第１位置３１は、ぼかしモードの本スキャンにおいて搬送される原稿の第１領域を読み取る際にラインセンサ４０がＣＲモータ６５により配置される読取位置を示す情報でもある。第１位置３１は、ＥＥＰＲＯＭ５９に記憶される。このように、制御部５５は、ＭＴＦ値が最大となる位置を第１領域を読み取るラインセンサ４０の読取位置に決定する。
【０１１７】
なお、本実施形態においては、１１個のＭＴＦ値を取得するために読取開始位置と読取終了位置との間でラインセンサ４０の読取位置が１１箇所に変更されるように、上記の第１距離が設定されている。第１距離は、読取開始位置から読取終了位置までの距離、及び第１設定数に基づいて設定される。なお、取得するＭＴＦ値の数は１１個に限定されるものではなく、第１距離を変更して例えば５個のＭＴＦ値を取得するようにしてもよい。また、ステップ１１で決定された第１位置３１を仮読取位置に設定し、仮読取位置の前後でラインセンサ４０を第１距離よりも細かく移動させてＭＴＦ値を求めるようにしてもよい。これにより、第１位置３１をより正確に求めることができる。また、ＭＴＦ曲線６８を求めることなく第１位置３１を決定してもよい。すなわち、制御部５５は、１１個のＭＴＦ値の中からその値が最大となるものを判断し、そのＭＴＦ値に対応するラインセンサ４０の読取位置を第１位置３１に決定してもよい。
【０１１８】
制御部５５は、第１位置３１がＥＥＰＲＯＭ５９に記憶されていると判断した場合（Ｓ３：ＹＥＳ）、又はステップＳ１１の処理を行った場合、ＥＥＰＲＯＭ５９に第２位置３２が記憶されているか否かを判断する（Ｓ１３）。第２位置３２が記憶されていると制御部５５が判断した場合（Ｓ１３：ＹＥＳ）、処理が終了される。制御部５５は、第２位置３２が記憶されていないと判断した場合（Ｓ１３：ＮＯ）、原稿トレイ２２に対する第２テスト原稿９９（本発明のテスト原稿の一例）の載置を促す旨を報知する（Ｓ１４）。例えば、制御部５５は、「原稿トレイに第２テスト原稿をセットしてください」などのメッセージを操作パネル１３に表示させる。
【０１１９】
図１１は、第２テスト原稿９９の一例を示す模式図である。
【０１２０】
図１１に示されるように、第２テスト原稿９９は、白と黒の縞パターンが５０ｌｐｉのピッチで記録されたものである。第２テスト原稿９９は、パターンの配列方向（図１１における左右方向）がスキャナ１０の奥行き方向（矢印３９で示される方向）と略一致するように原稿トレイ２２に載置される。なお、白黒の縞パターンのピッチは５０ｌｐｉに限定されるものではなく、ラインセンサ４０の性能などに応じて適宜変更されてもよい。
【０１２１】
制御部５５は、第２テスト原稿９９が原稿トレイ２２に載置されたか否かを原稿検出センサ３６（図４参照）から出力されるセンサ信号に基づいて判断する（Ｓ１５）。第２テスト原稿９９が載置されていないと制御部５５が判断した場合（Ｓ１５：ＮＯ）、ステップＳ１４の処理が継続される。制御部５５は、原稿トレイ２２に第２テスト原稿９９が載置されていると判断した場合（Ｓ１５：ＹＥＳ）、ステップＳ６の処理と同様に、ラインセンサ４０を読取開始位置へ移動させる（Ｓ１６）。制御部５５は、モータ７２を制御して第２テスト原稿９９を搬送路１２に沿って所定量搬送する。これにより、第２テスト原稿９９に記録されている白黒のパターンが第１ガラス１８の上方に配置される。そして、制御部５５は、ラインセンサ４０により第１ガラス１８を通して第２テスト原稿９９を読み取る（Ｓ１７）。制御部５５は、ステップＳ１７の処理によって得られた第２テスト原稿９９の画像信号、及び上記式１の演算式に基づいてＭＴＦ値を求める（Ｓ１８）。
【０１２２】
制御部５５は、第２設定数（本実施形態においては１１）のＭＴＦ値を取得したか否かを判断する（Ｓ１９）。制御部５５は、１１個のＭＴＦ値を取得していないと判断した場合（Ｓ１９：ＮＯ）、ＣＲモータ６５を制御してラインセンサ４０を読取終了位置（図９（Ｃ）参照）側へ第２距離だけ移動させる（Ｓ２０）。これにより、ラインセンサ４０と第２テスト原稿９９の読取面２５との第１相対距離が変更される。なお、第２距離は、読取開始位置から読取終了位置までの距離、及び第２設定数に基づいて設定される距離である。したがって、例えば第２設定数が変更されれば、それに応じて変更される。
【０１２３】
ステップＳ２０の処理によってラインセンサ４０の読取位置が変更された後、ラインセンサ４０がその読取位置に配置された状態でステップＳ１７及びステップＳ１８の処理が行われる。制御部５５は、ステップＳ１７、ステップＳ１８、及びステップＳ２０の処理を繰り返すことにより、第１相対距離が相異なる複数（ここでは１１箇所）の位置で第２テスト原稿９９を第１ガラス１８を通して読み取る動作をラインセンサ４０に実行させる。そして、制御部５５は、この動作で得られた第２テスト原稿９９の画像信号に基づいて１１箇所の位置毎にＭＴＦ値を求める。
【０１２４】
図１２は、第２テスト原稿９９を読み取って得られたＭＴＦ特性を示す図である。
【０１２５】
図１２において、横軸は、ＣＲモータ６５を駆動させてラインセンサ４０を移動させることにより変化する、第１ガラス１８における第２テスト原稿９９の読取面２５とラインセンサ４０との相対距離、すなわち第１相対距離を示している。縦軸は、ＭＴＦ値を示している。図１２には、第１相対距離が相異なる１１箇所の読取位置に対応するＭＴＦ値が示されている。
【０１２６】
制御部５５は、１１個のＭＴＦ値を取得したと判断した場合（Ｓ１９：ＹＥＳ）、ＭＴＦ値の最大値を求める（Ｓ２１）。具体的には、制御部５５は、ステップＳ１７〜ステップＳ２０の処理を繰り返して求めた１１個のＭＴＦ値からＭＴＦ曲線６３（図１２参照）を求める。そして、制御部５５は、ＭＴＦ曲線６３のピークを判断してＭＴＦ値の最大値を求める。ここでは、図１２に示されるように、横軸が「３．５」で表される第１相対距離に対応するＭＴＦ値が最大値となる。
【０１２７】
制御部５５は、ＭＴＦ値がステップＳ２１の処理で求めた最大値の２０％（本発明における所定％）以下となる位置を第２位置３２に決定する（Ｓ２２）。具体的には、制御部５５は、ステップＳ２１で求めた最大値の２０％となるＭＴＦ値を求める。例えば、最大値が１である場合、ＭＴＦ値は０．２となる。制御部５５は、求めたＭＴＦ値（ここでは０．２）に対応するラインセンサ４０の位置を判断して第２位置３２と決定する。第２位置３２は、ぼかしモードの本スキャンにおいて搬送される原稿の第２領域を読み取る際にラインセンサ４０がＣＲモータ６５により配置される読取位置を示す情報である。第２位置３２は、ＥＥＰＲＯＭ５９に記憶される。このように、制御部５５は、ＭＴＦ値が最大値の２０％以下となる位置を第２領域を読み取るラインセンサ４０の読取位置に決定する。
【０１２８】
なお、第１テスト原稿９８、及び第２テスト原稿９９の２枚のテスト原稿に代えて、第１位置３１及び第２位置３２の各位置を決定するための２つのパターンが記録された１枚のテスト原稿を用いて第１位置３１及び第２位置３２を決定してもよい。この場合、２つのパターンがスキャナ１０の奥行き方向（矢印３９で示される方向）に並んで記録されたテスト原稿を使用する。制御部５５は、テスト原稿の主走査方向における読取範囲を変更して各パターンの画像を個別に読み取る。そして、制御部５５は、得られたそれぞれの画像に基づいて第１位置３１及び第２位置３２を決定する。この場合、ユーザがテスト原稿を原稿トレイ２２に載置する手間が軽減される。また、２つのパターンが原稿の搬送方向に並んで記録されたテスト原稿を使用してもよい。この場合、テスト原稿を搬送することにより、第１ガラス１８上に配置されるパターンを変更して各パターンの画像を個別に読み取るようにすればよい。
【０１２９】
また、本実施形態においては、第１位置３１及び第２位置３２を決定するために２つのパターンを使用する形態について説明したが、これらの読取位置を決定するために使用する所定のパターンは１つであってもよい。例えば、第２テスト原稿９９を用いることなく第１テスト原稿９８のみを用いて第１位置３１及び第２位置３２を決定してもよい。この場合、制御部５５は、第１テスト原稿９８のパターンを読み取って得られたＭＴＦ特性の最大値に対応する読取位置を第１位置３１に決定する。そして、制御部５５は、最大値の例えば２０％となるＭＴＦ値に対応する読取位置を第２位置３２に決定する。
【０１３０】
図１３は、通常モードに設定された状態で原稿の読取開始が指示された場合にスキャナ１０において行われる処理の手順を示すフローチャートである。
【０１３１】
制御部５５は、ＲＡＭ２４に記憶されている読取モード情報２４に基づいて、通常モードに設定されているか否かを判断する（Ｓ３１）。通常モードに設定されていない、すなわちぼかしモードに設定されていると制御部５５が判断した場合（Ｓ３１：ＮＯ）、処理がステップＳ３１へ戻される。制御部５５は、通常モードに設定されていると判断した場合（Ｓ３１：ＹＥＳ）、原稿トレイ２２に原稿が載置されているか否かを判断する（Ｓ３２）。このステップＳ３２の判断は、原稿検出センサ３６から出力されるセンサ信号に基づいて行われる。原稿トレイ２２に原稿が載置されていないと制御部５５が判断した場合（Ｓ３２：ＮＯ）、処理がステップＳ３２へ戻される。
【０１３２】
制御部５５は、原稿トレイ２２に原稿が載置されていると判断した場合（Ｓ３２：ＹＥＳ）、原稿の読取開始命令があったか否かを判断する（Ｓ３３）。具体的には、制御部５５は、原稿の読取開始を指示する所定の操作入力が操作パネル１３において行われたか否か、又は原稿の読取開始を指示する読取開始命令を端末装置１４０から受信したか否かを判断する。原稿の読取開始命令がないと制御部５５が判断した場合（Ｓ３３：ＮＯ）、処理がステップＳ３３へ戻される。
【０１３３】
制御部５５は、読取開始命令があったと判断した場合（Ｓ３３：ＹＥＳ）、すなわち操作パネル１３から所定の操作入力が行われるか又は端末装置１４０から読取開始命令を受信した場合、ＣＲモータ６５を駆動させて基準部材３７（図２参照）に対してラインセンサ４０を第１位置３１に対応する読取位置へ移動させる（Ｓ３４）。この読取位置は、基準部材３７の下方へ移動されたラインセンサ４０と基準部材３７の読取面２５との相対距離（第２相対距離）が、第１位置３１に対応する読取位置に配置されたラインセンサ４０と第１ガラス１８における原稿の読取面２５との相対距離（第１相対距離）と略等しくなる位置である。例えば、第１ガラス１８に対するラインセンサ４０の読取位置と、それに対応する基準部材３７に対するラインセンサ４０の読取位置とを対応付けて予め記憶しておくことにより、第１相対距離と第２相対距離とを略一致させることができる。すなわち、ラインセンサ４０から読取面２７までの距離と、ラインセンサ４０から読取面２５までの距離を略一致させることが可能となる。ラインセンサ４０の光源から第１ガラス１８における読取面２５に照射された光と、ラインセンサ４０の光源から基準部材３７の読取面２７に照射された光との光量差が生じることが防止される。
【０１３４】
制御部５５は、第１光量調整値１０１及び第１白基準データ９０（図４参照）を取得する（Ｓ３５）。制御部５５は、ラインセンサ４０の光源に最初は小さい光量で基準部材３７の読取面２７へ向けて光照射させる。そして、制御部５５は、ラインセンサ４０の受光素子からの出力が所定値となるまで光源の光量を段階的に増加させ、受光量が所定値となったときの光量を第１光量調整値１０１として取得する。すなわち、第１光量調整値１０１は、ラインセンサ４０の受光素子の受光量が所定値となる光源の光量である。制御部５５は、ラインセンサ４０の光源から第１光量調整値１０１の光量で基準部材３７の読取面２７に光を照射する。そして、制御部５５は、読取面２７からの反射光をラインセンサ４０の受光素子で電気信号に変換して第１白基準データ９０を取得する。このステップＳ３５の処理によって取得された第１光量調整値１０１及び第１白基準データ９０は、ＲＡＭ５８に格納される。
【０１３５】
制御部５５は、モータ７２の回転を制御して原稿トレイ２２に載置されている原稿の搬送を開始する（Ｓ３６）。制御部５５は、搬送される原稿を第１位置３１に対応する読取位置に配置されたラインセンサ４０により読み取る（Ｓ３７）。具体的には、制御部５５は、ステップＳ３４の処理によって基準部材３７に対向配置されているラインセンサ４０をＣＲモータ６５を制御して第１位置３１に対応する読取位置（図５（Ａ）参照）へ移動させる。そして、制御部５５は、第１位置３１に対応する読取位置において第１ガラス１８上を搬送される原稿を読み取る動作をラインセンサ４０に実行させる。これにより、第１ガラス１８における原稿の読取面２５にラインセンサ４０のピントをほぼ合わせた状態で原稿の画像が読み取られる。このため、ラインセンサ４０が他の位置に配置されて原稿が読み取られる場合に比べて明瞭な原稿の画像が得られる。このようにして読み取られた原稿の画像（画像信号）は、ＡＦＥ回路７８に処理される。画像処理回路７９は、ＡＦＥ回路７８で処理された原稿の画像をステップＳ３５の処理で取得された第１白基準データ９０に基づいてシェーディング補正する（Ｓ３８）。
【０１３６】
通常モードでは、ＡＤＦ２８により搬送される原稿は、その読取領域の全域が第１位置３１に対応する読取位置に配置されたラインセンサ４０により第１ガラス１８を通して読み取られる。第１ガラス１８における読取面２５にラインセンサ４０のピントがあった状態で原稿が読み取られるので、鮮明な原稿の画像が得られる。
【０１３７】
図１４は、原稿の読取領域４７を例示する模式図である。
【０１３８】
ぼかしモードでは、制御部５５は、ＡＤＦ２８により搬送される原稿の読取領域を第１領域９３，９７及び第２領域９５に区画する。この読取領域の区画は、第１ガラス１８と対向配置されたラインセンサ４０に搬送される原稿をプレスキャンさせて得られた原稿の画像、又はユーザ設定に基づいて行われる。制御部５５は、搬送される原稿のラインセンサ４０による本スキャンにおいて、区画された領域毎に第１相対距離をＣＲモータ６５を駆動させて変更する。制御部５５は、第１相対距離をラインセンサ４０の焦点距離に略一致させた状態でラインセンサ４０に第１領域９３，９７を読み取らせる。すなわち、制御部５５は、ラインセンサ４０を第１位置３１に対応する読取位置に配置した状態で搬送される原稿の第１領域９３，９７をそのラインセンサ４０により読み取らせる。制御部５５は、第１相対距離をラインセンサ４０の焦点距離と異ならせた状態でラインセンサ４０に第２領域９５を読み取らせる。すなわち、制御部５５は、ラインセンサ４０を第２位置３２に対応する読取位置に配置した状態で搬送される原稿の第２領域９５をそのラインセンサ４０により読み取らせる。ＡＤＦ２８により搬送される原稿をぼかしモードで読み取ることにより、第１領域９３，９７が鮮明で第２領域９５がぼかされた原稿の画像を得ることができる。このぼかしモードによる原稿の読み取りは、例えば個人情報や機密情報が記載された原稿を読み取るのに好適である。
【０１３９】
なお、図１４に示される例では、原稿の読取領域４７が第１領域９３，９７と第２領域９５の２つの領域に区画されているが、読取領域４７は３つ以上の領域に区画されてもよい。この場合、第１位置３１と第２位置３２に加えて、新たな読取位置の情報を設定すればよい。
【０１４０】
図１５〜図１８は、ぼかしモードに設定された状態で操作パネル１３から原稿の読取開始が指示された場合にスキャナ１０において行われる処理の手順を示すフローチャートである。図１９は、操作パネル１３に表示される設定画面の一例を示す模式図である。
【０１４１】
図１５に示されるように、制御部５５は、ＲＡＭ５８に記憶されている読取モード情報２４に基づいて、ぼかしモードに設定されているか否かを判断する（Ｓ４１）。ぼかしモードに設定されていない、すなわち通常モードに設定されていると制御部５５が判断した場合（Ｓ４１：ＮＯ）、処理がステップＳ４１へ戻される。制御部５５は、ぼかしモードに設定されていると判断した場合（Ｓ４１：ＹＥＳ）、第１モード又は第２モードの選択を促す旨を報知する（Ｓ４２）。具体的には、制御部５５は、例えば「プレスキャンを行いますか？」などのメッセージを操作パネル１３に表示させる。ここで、第１モードは、プレスキャンの結果及びユーザの指定に基づいて読取領域を第１領域及び第２領域に区画するモードである。第２モードは、プレスキャンを行うことなく、ユーザ設定に基づいて読取領域を第１領域及び第２領域に区画するモードである。
【０１４２】
制御部５５は、操作パネル１３からの操作入力に基づいて、第１モード又は第２モードが選択されたかを判断する（Ｓ４３）。いずれのモードも選択されていないと制御部５５が判断した場合（Ｓ４３：ＮＯ）、ステップＳ４２の処理が継続される。制御部５５は、モードが選択されたと判断した場合（Ｓ４３：ＹＥＳ）、選択されたモードが第１モードであるか又は第２モードであるかを判断する（Ｓ４４）。
【０１４３】
制御部５５は、第２モードが選択されたと判断した場合（Ｓ４４：第２モード）、第２モードの選択を受け付けてＥＥＰＲＯＭ５９に指定情報が保存されているか否かを判断する（Ｓ４５）。ここで、指定情報は、第１領域又は第２領域を指定する情報である。ＡＤＦ２８により搬送される原稿の読取領域は、この指定情報に基づいて第１領域及び第２領域に区画される。制御部５５は、指定情報が保存されていると判断した場合（Ｓ４５：ＹＥＳ）、指定情報を入力するか否かの選択を促す旨を報知する（Ｓ４６）。制御部５５は、例えば「指定情報が登録されていますが、指定情報を入力しますか？」などのメッセージを操作パネル１３に表示させる。
【０１４４】
制御部５５は、操作パネル１３からの所定の操作入力の有無に基づいて、ステップＳ４６の報知に対する選択がなされたか否かを判断する（Ｓ４７）。選択がなされていないと制御部５５が判断した場合（Ｓ４７：ＮＯ）、ステップＳ４６の処理が継続される。制御部５５は、選択がなされたと判断した場合（Ｓ４７：ＹＥＳ）、選択が指定情報の入力であるか否かを判断する（Ｓ４８）。
【０１４５】
制御部５５は、選択が指定情報の入力であると判断した場合（Ｓ４８：ＹＥＳ）、又はＥＥＰＲＯＭ５９に指定情報が保存されていないと判断した場合（Ｓ４５：ＮＯ）、図１９（Ａ）に例示される領域設定画面１３２（本発明における第１設定画面の一例）を表示する（Ｓ４９）。領域設定画面１３２は、ユーザが指定情報を入力するための表示画面である。
【０１４６】
領域設定画面１３２には、原稿の読取領域１４１、カーソル１２３、開始位置セットボタン１３０、終了位置セットボタン１３１、チェックボックス１１７等が表示される。領域設定画面１３２が表示される操作パネル１３はタッチパネル型のものである。ユーザは、領域設定画面１３２に表示されたカーソル１２３、開始位置セットボタン１３０、終了位置セットボタン１３１を操作することにより指定情報を入力することができる。
【０１４７】
例えば第２領域９５（図１４参照）を指定する指定情報の入力は、以下の要領で行われる。開始位置セットボタン１３０及び終了位置セットボタン１３１は、カーソル１２３で指定された主走査方向のライン（図１４中の一点鎖線）を指定するための入力キーである。ユーザがカーソル１２３、開始位置セットボタン１３０及び終了位置セットボタン１３１を操作することにより、第２領域９５が指定される。この第２領域９５を指定する指定情報は、チェックボックス１１７にチェックが付けられることによってその設定が受け付けられる。なお、図１９（Ａ）には、２つの第２領域が指定された読取領域１４１が例示されている。また、指定情報は、カーソル１２３の操作に代えて、ユーザが操作パネル１３のテンキーを操作することにより数値で入力されてもよい。また、本実施形態では、指定情報により第２領域が指定されるが、指定情報により第１領域が指定されてもよい。
【０１４８】
制御部５５は、領域設定画面１３２に対して指定情報が入力されたか否かを判断する（Ｓ５０）。具体的には、制御部５５は、カーソル１２３、開始位置セットボタン１３０、及び終了位置セットボタン１３１の操作により指定情報が設定され、チェックボックス１１７にチェックが付けられたか否かを判断する。指定情報が入力されていないと制御部５５が判断した場合（Ｓ５０：ＮＯ）、ステップＳ４９の処理が継続される。制御部５５は、指定情報が入力されたと判断した場合（Ｓ５０：ＹＥＳ）、指定情報の入力を受け付けてその指定情報に基づいて原稿の読取領域を第１領域及び第２領域に区画する（Ｓ５１）。区画された第１領域及び第２領域を示す情報は、ＥＥＰＲＯＭ５９の所定領域に一時的に格納される。原稿の読取領域は、入力された指定情報に基づいて、第１領域及び第２領域に区画される。このため、ユーザがスキャナ１０において第１領域又は第２領域を任意に指定して原稿の一部の領域をぼかして読み取らせることができる。
【０１４９】
制御部５５は、選択が指定情報の入力ではないと判断した場合（Ｓ４８：ＮＯ）、ＥＥＰＲＯＭ５９に保存されている指定情報を操作パネル１３に表示させる（Ｓ５２）。制御部５５は、操作パネル１３からの所定操作の有無に基づいて、保存されている指定情報が選択されたか否かを判断する（Ｓ５３）。指定情報が選択されていないと制御部５５が判断した場合（Ｓ５３：ＮＯ）、ステップＳ５２の処理が継続される。制御部５５は、保存されている指定情報が選択されたと判断した場合（Ｓ５３：ＹＥＳ）、選択された指定情報に基づいて原稿の読取領域を第１領域及び第２領域に区画する（Ｓ５４）。ステップＳ５１の処理又はステップＳ５４の処理が行われた後、制御部５５は、第１処理（図２０参照）を実行する（Ｓ５５）。
【０１５０】
図２０は、第１処理の詳細フローチャートである。
【０１５１】
図２０に示されるように、制御部５５は、原稿トレイ２２に原稿が載置されているか否かを判断する（Ｓ５５１）。このステップＳ５５１の判断は、原稿検出センサ３６から出力されるセンサ信号に基づいて行われる。原稿トレイ２２に原稿が載置されていないと制御部５５が判断した場合（Ｓ５５１：ＮＯ）、待機状態となる。制御部５５は、原稿トレイ２２に原稿が載置されていると判断した場合（Ｓ５５１：ＹＥＳ）、原稿の読取開始命令があったか否かを判断する（Ｓ５５２）。原稿の読取開始を指示する所定の操作入力が操作パネル１３から行われた場合、又は原稿の読取開始を指示する所定の命令を端末装置１４０から受信した場合、ステップＳ５５２において制御部５５によりＹＥＳと判断される。逆に、操作パネル１３から所定の操作入力が行われず、端末装置１４０から所定の命令を受信していない場合、ステップＳ５５２において制御部５５によりＮＯと判断される。読取開始命令がないと制御部５５が判断した場合（Ｓ５５２：ＮＯ）、待機状態となる。
【０１５２】
制御部５５は、読取開始命令があったと判断した場合（Ｓ５５２：ＹＥＳ）、ステップＳ３４の処理と同様に、ＣＲモータ６５を駆動させて基準部材３７（図２参照）に対してラインセンサ４０を第１位置３１に対応する読取位置へ移動させる（Ｓ５５３）。制御部５５は、ステップＳ３５の処理と同様に、第１光量調整値１０１及び第１白基準データ９０（図４参照）を取得する（Ｓ５５４）。このステップＳ５５４の処理によって取得された第１光量調整値１０１及び第１白基準データ９０は、ＲＡＭ５８に格納される。
【０１５３】
制御部５５は、基準部材３７（図２参照）に対してラインセンサ４０を第２位置３２に対応する読取位置へ移動させる（Ｓ５５５）。この読取位置は、ＣＲモータ６５の駆動により基準部材３７の下方へ移動されたラインセンサ４０と基準部材３７の読取面２５との第２相対距離が、第２位置３２に対応する読取位置に配置されたラインセンサ４０と第１ガラス１８における原稿の読取面２５との第１相対距離と略等しくなる位置である。
【０１５４】
制御部５５は、第２光量調整値１０２及び第２白基準データ９１（図４参照）を取得する（Ｓ５５６）。このステップＳ５５６の処理は、基準部材３７に対するラインセンサ４０の読取位置が異なる点を除いて、ステップＳ３５の処理と同様に行われる。ステップＳ５５６の処理によって取得された第２光量調整値１０２及び第２白基準データ９１は、ＲＡＭ５８に格納される。
【０１５５】
制御部５５は、ＡＤＦ２８のモータ７２を制御して、原稿トレイ２２に載置されている原稿の搬送を開始する（Ｓ５５７）。制御部５５は、ＡＤＦ２８により搬送される原稿を第１位置３１に対応する読取位置（図５（Ａ）参照）に配置されたラインセンサ４０によりスキャン（本スキャン）する（Ｓ５５８）。具体的には、制御部５５は、基準部材３７に対向配置されたラインセンサ４０をＣＲモータ６５を制御して第１位置３１に対応する読取位置（図５（Ａ）参照）へ移動させる。そして、制御部５５は、第１位置３１に対応する読取位置において第１ガラス１８上を搬送される原稿を１ライン読み取る動作をラインセンサ４０に実行させる。これにより、第１ガラス１８における原稿の読取面２５にラインセンサ４０のピントを合わせた状態で原稿の第１領域の画像が１ライン読み取られる。すなわち、原稿の第１領域が鮮明に読み取られる。
【０１５６】
制御部５５は、ＡＤＦ２８により搬送される原稿の第２領域が第１ガラス１８における読取面２５（図５（Ｂ）参照）に到達したか否かを判断する（Ｓ５５９）。このステップＳ５５９の判断は、ＥＥＰＲＯＭ５９に設定されている第１領域と第２領域の情報、及びＡＤＦ２８による原稿の搬送が開始されてからのモータ７２（図４参照）のステップ数に基づいて判断される。第２領域が到達していないと制御部５５が判断した場合（Ｓ５５９：ＮＯ）、制御部５５は、原稿が第１ガラス１８上を通過したか否かを判断する（Ｓ５６１）。原稿が第１ガラス１８上を通過していないと制御部５５が判断した場合（Ｓ５６１：ＮＯ）、処理がＳ５５８へ戻される。これにより、ステップＳ５５８の処理が繰り返されて原稿の第１領域全体の画像が読み取られる。
【０１５７】
制御部５５は、搬送される原稿の第２領域が到達したと判断した場合（Ｓ５５９：ＹＥＳ）、ＡＤＦ２８により搬送される原稿を第２位置３２に対応する読取位置（図５（Ｂ）参照）に配置されたラインセンサ４０によりスキャン（本スキャン）する（Ｓ５６０）。具体的には、制御部５５は、第１位置３１に対応する読取位置に配置されているラインセンサ４０をＣＲモータ６５を制御して第２位置３２に対応する読取位置へ移動させる。そして、制御部５５は、第２位置３２に対応する読取位置において第１ガラス１８上を搬送される原稿を１ライン読み取る動作をラインセンサ４０に実行させる。これにより、第１ガラス１８における原稿の読取面２５からラインセンサ４０のピントをずらした状態で原稿の第２領域が１ライン読み取られる。すなわち、原稿の第２領域がぼかして読み取られる。
【０１５８】
制御部５５は、搬送される原稿の第２領域が第２位置３２に対応する第１ガラス１８の読取面２５（図５（Ｂ）参照）を通過したか否かを判断する（Ｓ５６２）。このステップＳ５６２の判断は、ＥＥＰＲＯＭ５９に設定されている第１領域と第２領域の情報、及びＡＤＦ２８による原稿の搬送が開始されてからのモータ７２のステップ数に基づいて行われる。原稿の第２領域が通過していないと制御部５５が判断した場合（Ｓ５６２：ＮＯ）、ステップＳ５６０の処理が継続される。これにより、ステップＳ５６０の処理が繰り返されて原稿の第２領域全体の画像が読み取られる。第２領域が通過したと制御部５５が判断した場合（Ｓ５６２：ＹＥＳ）、処理がステップＳ５６１へ進められる。制御部５５は、原稿が第１ガラス１８上を通過したと判断した場合（Ｓ５６１：ＹＥＳ）、原稿の読み取りが完了したと判断し、処理がステップＳ５６３へ進められる。
【０１５９】
本実施形態においては、ステップＳ５５８の処理によって原稿の第１領域が何ラインか読み取られてからステップＳ５６０の処理により原稿の第２領域が読み取られる。ただし、読み取られる領域の順序はこれに限定されるものではなく、原稿の第２領域から読み取りが開始されてもよい。また、原稿の読取領域における読取開始位置が第１領域であるか又は第２領域であるかを判断し、その判断結果に基づいてステップＳ５５８又はステップＳ５６０へ処理が進められてもよい。
【０１６０】
ステップＳ５５８及びステップＳ５６０の処理によって読み取られた原稿の画像（画像信号）は、順次ＡＦＥ回路７８へ出力されてシリアルに処理される。ステップＳ５６１の処理で制御部５５がＹＥＳと判断した場合、画像処理回路７９は、第１領域の画像をステップＳ５５４の処理によって取得された第１白基準データ９０に基づいてシェーディング補正する（Ｓ５６３）。また、画像処理回路７９は、第２領域の画像をステップＳ５５６の処理によって所得された第２白基準データ９１に基づいてシェーディング補正する（Ｓ５６４）。このように、制御部５５は、画像処理回路７９によりシェーディング補正される原稿の画像の読取領域に応じて白基準データを変更する。
【０１６１】
原稿におけるラインセンサ４０の読取領域は、第１領域及び第２領域に区画される。搬送される原稿の本スキャンにおいて、ラインセンサ４０を移動させるＣＲモータ６５の駆動により、第１ガラス１８における原稿の読取面２５とラインセンサ４０との第１相対距離が区画された領域に応じて変更される。このため、ＣＲモータ６５とは別の駆動源を設けることなく、原稿の第２領域をぼかして読み取ることができる。すなわち、第１領域が鮮明で第２領域がぼかされた原稿の画像を得ることができる。
【０１６２】
本スキャンで得られた原稿の画像は、画像処理回路７９により読取領域毎にシェーディング補正される。搬送される原稿の本スキャンでは第１相対距離が変更されるため、原稿からラインセンサ４０への反射光の光量が原稿の読取中に変化する。本実施形態においては、原稿の第１領域のシェーディング補正に第１白基準データ９０が使用され、原稿の第２領域のシェーディング補正に第２白基準データ９１が使用される。このように、原稿の読取領域に応じて白基準データが変更されることにより、相対距離の変化に対応して一定品質の原稿の画像を得ることができる。
【０１６３】
なお、搬送される原稿の本スキャンにおいて、２回の読取動作を連続的に実行し、各読取動作で得られた原稿の画像を合成してもよい。すなわち、ＡＤＦ２８により搬送される原稿の本スキャンにおいて、ラインセンサ４０が第１位置３１に対応する読取位置に配置された状態で、搬送される原稿全体の画像を読み取る読取動作を実行する。この読取動作が完了した後に、ローラ７３を逆回転させて搬送された原稿を読み取り前の位置へ戻す。そして、ラインセンサ４０が第２位置３２に対応する読取位置に配置された状態で、搬送される原稿全体の画像を読み取る。制御部５５は、１回目の読取動作で得られた第１領域の画像と、２回目の読取動作で得られた第２領域の画像とを合成して原稿全体の画像を生成する。
【０１６４】
また、ここでは、原稿の第１領域が第１位置３１に対応する読取位置に配置されたラインセンサ４０により読み取られる形態について説明したが、原稿の第１領域は、モアレの発生を抑制するために、第１位置３１に対応する読取位置から若干ずらされた位置にラインセンサ４０が配置された状態で読み取られてもよい。
【０１６５】
図１５及び図１６に示されるように、制御部５５は、第１モードが選択されたと判断した場合（Ｓ４４：第１モード）、第１モードの選択を受け付けて第２処理を実行する（Ｓ５８）。
【０１６６】
図２１は、第２処理の詳細フローチャートである。
【０１６７】
制御部５５は、ステップＳ５５１の処理と同様に、原稿トレイ２２に原稿が載置されているか否かを判断する（Ｓ５８１）。原稿トレイ２２に原稿が載置されていないと制御部５５が判断した場合（Ｓ５８１：ＮＯ）、待機状態となる。制御部５５は、原稿トレイ２２に原稿が載置されていると判断した場合（Ｓ５８１：ＹＥＳ）、ステップＳ５５２の処理と同様に、原稿の読取開始命令があったか否かを判断する（Ｓ５８２）。読取開始命令がないと制御部５５が判断した場合（Ｓ５８２：ＮＯ）、待機状態となる。
【０１６８】
制御部５５は、原稿の読取開始命令があったと判断した場合（Ｓ５８２：ＹＥＳ）、ステップ３４の処理と同様に、基準部材３７に対してラインセンサ４０を第１位置３１に対応する読取位置へ移動させる（Ｓ５８３）。そして、制御部５５は、ステップＳ３５の処理と同様に、第１光量調整値１０１及び第１白基準データ９０を取得する（Ｓ５８４）。取得された第１光量調整値１０１及び第１白基準データ９０は、ＲＡＭ５８の所定領域に格納される。
【０１６９】
制御部５５は、ステップＳ５８４の処理に続いて、ステップＳ５５７の処理と同様に、原稿の搬送を開始する（Ｓ５８５）。制御部５５は、ＡＤＦ２８により搬送される原稿を第１位置３１に対応する読取位置（図５（Ａ）参照）に配置されたラインセンサ４０によりプレスキャンする（Ｓ５８６）。制御部５５は、ＡＤＦ２８により搬送される原稿が第１ガラス１８上を通過したか否かを判断する（Ｓ５８７）。原稿が第１ガラス１８上を通過していないと制御部５５が判断した場合（Ｓ５８７：ＮＯ）、ステップＳ５８６の処理が継続される。制御部５５は、原稿が第１ガラス１８上を通過したと判断した場合（Ｓ５８７：ＹＥＳ）、ステップＳ５８６のプレスキャンで得られた原稿の画像を画像処理回路７９により第１白基準データ９０に基づいてシェーディング補正する（Ｓ５８８）。制御部５５は、モータ７２を逆回転させて、ＡＤＦ２８により搬送された原稿をＳ５８５の搬送開始前の位置へ戻す（Ｓ５８９）。
【０１７０】
このように、第２処理が行われることにより、ラインセンサ４０が第１位置３１に対応する読取位置に配置された状態で、ＡＤＦ２８により搬送される原稿の画像がプレスキャンされる。このプレスキャンで得られた原稿の画像は、ＲＡＭ５８の所定領域に格納されて読取領域の区画に利用される。
【０１７１】
図１６に示されるように、制御部５５は、第２処理を行った後、領域設定、文字設定、又は図形設定の選択を促す旨を報知する（Ｓ６０）。例えば、制御部５５は、「領域設定、文字設定、又は図形設定を選択してください」等のメッセージを操作パネル１３に表示させる。領域設定は、プレスキャンで得られた原稿の画像に対してユーザが指定情報を入力し、入力された指定情報に基づいて読取領域が第１領域及び第２領域に区画される設定である。文字設定は、プレスキャンで得られた原稿の画像からユーザが指定した文字を検出し、検出された文字を含む領域が含まれる第２領域に区画すると共にその他の領域を第１領域に区画する設定である。図形設定は、プレスキャンで得られた原稿の画像からユーザが指定した図形を検出し、検出された図形が含まれる領域を第２領域に区画すると共にその他の領域を第１領域に区画する設定である。制御部５５は、領域設定、文字設定、及び図形設定のいずれかが選択されたか否かを操作パネル１３における所定操作の有無に基づいて判断する（Ｓ６１）。いずれの設定も選択されていないと制御部５５が判断した場合（Ｓ６１：ＮＯ）、ステップＳ６０の処理が継続される。
【０１７２】
制御部５５は、いずれかの設定が選択されたと判断した場合（Ｓ６１：ＹＥＳ）、選択が領域設定であるか否かを判断する（Ｓ６２）。制御部５５は、選択が領域設定であると判断した場合（Ｓ６２：ＹＥＳ）、第２処理で得られた原稿の画像を操作パネル１３に表示するとともに、指定情報の入力を促す旨を報知する（Ｓ６３）。具体的には、制御部５５は、プレスキャンで得られた原稿の画像と、領域設定画面１３２と同様の表示画面を操作パネル１３に表示させる。例えば、制御部５５は、読取領域１４１（図１９（Ａ）参照）にプレスキャンで得られた画像が示された領域設定画面１３２を操作パネル１３に表示させる。
【０１７３】
制御部５５は、操作パネル１３における所定操作の有無に基づいて、プレスキャンで得られた原稿の画像に対して指定情報が入力されたか否かを判断する（Ｓ６４）。指定情報が入力されていないと制御部５５が判断した場合（Ｓ６４：ＮＯ）、ステップＳ６３の処理が継続される。制御部５５は、指定情報が入力されたと判断した場合（Ｓ６４：ＹＥＳ）、指定情報の入力を受け付けてその指定情報に基づいて読取領域を第１領域及び第２領域に区画する（Ｓ６５）。区画された第１領域及び第２領域の情報は、ＥＥＰＲＯＭ５９の所定領域に格納される。ステップＳ６５の処理が行われた後、この処理で設定された第１領域と第２領域の情報に基づいて、原稿の本スキャンである上述の第１処理が行われる。
【０１７４】
スキャナ１０では、プレスキャンされた原稿の画像が操作パネル１３により表示される。表示された原稿の画像に対して、領域を指定する指定情報の入力が操作パネル１３を介して制御部５５により受け付けられる。本スキャンにおける原稿の読取領域は、この指定情報に基づいて第１領域及び第２領域に区画される。このため、ユーザは、スキャナ１０において表示されたプレスキャンの画像を見て、原稿のぼかしたい領域を容易に指定することが可能である。
【０１７５】
図１６及び図１７に示されるように、制御部５５は、選択が領域設定ではないと判断した場合（Ｓ６２：ＮＯ）、選択が文字設定であるか否かを判断する（Ｓ６９）。すなわち、制御部５５は、選択が文字設定であるか又は図形設定であるかを判断する。制御部５５は、選択が文字設定であると判断した場合（Ｓ６９：ＹＥＳ）、図１９（Ｂ）に例示される文字設定画面１３４（本発明における第２設定画面の一例）を表示する（Ｓ７０）。文字設定画面１３４は、ユーザが文字を入力するための表示画面である。
【０１７６】
文字設定画面１３４には、テーブル１２２、参照ボタン１３７、編集ボタン１３８、保存ボタン１３９、チェックボックス１３３等が表示される。テーブル１２２には、設定可能な文字が表示される。参照ボタン１３７が押下されることにより、ＥＥＰＲＯＭ５９に保存されている文字が読み出されてテーブル１２２に表示される。編集ボタン１３８が押下されることにより、ユーザが操作パネル１３を操作して文字を入力することができる。保存ボタン１３９が押下されることにより、入力された文字がＥＥＰＲＯＭ５９に保存される。ユーザは、参照ボタン１３７、編集ボタン１３８、保存ボタン１３９等を操作して、ぼかして読み取りたい文字をテーブル１２２に表示させる。テーブル１２２に表示された文字は、チェックボックス１３３にチェックが付けられることによってその設定が受け付けられる。
【０１７７】
制御部５５は、保存ボタン１３９の操作の有無に基づいて、文字が入力されたか否かを判断する（Ｓ７１）。制御部５５は、文字設定画面１３４に対して文字が入力されたと判断した場合（Ｓ７１：ＹＥＳ）、入力された文字をＥＥＰＲＯＭ５９に保存する（Ｓ７２）。制御部５５は、ステップＳ７２の処理を行った場合、又は文字が入力されていないと判断した場合（Ｓ７１：ＮＯ）、文字が選択されたか否かを判断する（Ｓ７３）。具体的には、テーブル１２２に文字が表示された状態でチェックボックス１３３にチェックが付けられたか否かを判断する。文字が選択されていないと制御部５５が判断した場合（Ｓ７３：ＮＯ）、処理がステップＳ７０へ戻される。
【０１７８】
制御部５５は、文字が選択されたと判断した場合（Ｓ７３：ＹＥＳ）、文字の選択を受け付けてその文字を第２処理で得られた原稿の画像から検出する（Ｓ７４）。具体的には、制御部５５は、第２処理のプレスキャンで得られた原稿の画像をＯＣＲ（Optical Character Recognition）処理する。すなわち、制御部５５は、プレスキャンで得られた原稿の画像を解析して文字データに変換する。そして、制御部５５は、ステップＳ７３の処理で選択されたと判断した文字を文字データから検出する。
【０１７９】
制御部５５は、文字が検出されたか否かを判断する（Ｓ７５）。制御部５５は、文字が検出されたと判断した場合（Ｓ７５：ＹＥＳ）、検出された文字が含まれる領域を第２領域に区画し、その他の領域の第１領域に区画する（Ｓ７６）。例えば、プレスキャンで得られた原稿の画像から「氏名」の文字が検出された場合、原稿の読取領域４７から「氏名」の文字を含む主走査方向のラインを第２領域９５に区画する（図１４参照）。これにより、氏名の横に記載された個人情報がぼかして読み取られることとなる。区画された第１領域及び第２領域の情報は、ＥＥＰＲＯＭ５９に格納される。
【０１８０】
制御部５５は、このステップＳ７６の処理で区画された第１領域及び第２領域の情報に基づいて上述の第１処理を実行する（Ｓ７７）。制御部５５は、選択された文字が第２処理のプレスキャンで得られた原稿の画像から検出されなかったと判断した場合（Ｓ７５：ＮＯ）、原稿の画像に選択された文字が含まれていないことを報知する（Ｓ７８）。具体的には、制御部５５は、「選択された文字は検出されませんでした」等のメッセージを操作パネル１３に表示させる。
【０１８１】
なお、第２処理（ステップＳ５８）ではラインセンサ４０のピントを合わせた状態で原稿のプレスキャンが行われるので、上述した一連の処理の一部が以下のように変更されてもよい。制御部５５は、第２処理で得られた原稿の画像をＲＡＭ５８に格納する。第１処理において、制御部５５は、搬送される原稿全体の画像をラインセンサ４０が第２位置３２に対応する読取位置に配置された状態でラインセンサ４０に読み取らせる。そして、制御部５５は、第１処理で得られた第２領域の画像、及び第１処理で得られた第１領域の画像を合成して原稿全体の画像を生成する。その結果、第１処理におけるラインセンサ４０の読取位置の変更や原稿全体を２回読み取る読取動作が不要となる。このため、第１処理にかかる時間を短縮し、画像読取ユニット１４の負荷を軽減し、スキャナ１０の構成を簡略化することが可能となる。
【０１８２】
図１７及び図１８に示されるように、制御部５５は、選択が文字設定ではないと判断した場合（Ｓ６９：ＮＯ）、すなわち図形設定であると判断した場合、図１９（Ｃ）に例示される図形設定画面１３６を操作パネル１３に表示させる（Ｓ８１）。図形設定画面１３６は、ユーザが図形を入力するための表示画面である。
【０１８３】
図形設定画面１３６には、図形１４５、パターン編集ボタン１４６、一覧表示ボタン１４７、チェックボックス１４３等が表示される。ユーザは、パターン編集ボタン１４６を押下して所定操作を行うことにより、図形を入力することができる。入力された図形やＥＥＰＲＯＭ５９に保存されている図形は、図形１４５として図形設定画面１３６に表示される。一覧表示ボタン１４７は、保存されている図形を読み出して図形１４５として表示させるためのキーである。図形設定画面１３６に表示された図形１４５は、チェックボックス１４３にチェックが付けられることによってその設定が受け付けられる。
【０１８４】
制御部５５は、操作パネル１３からの所定操作の有無に基づいて、図形が入力されたか否かを判断する（Ｓ８２）。制御部５５は、図形が入力されたと判断した場合（Ｓ８２：ＹＥＳ）、入力された図形をＥＥＰＲＯＭ５９に保存する（Ｓ８３）。制御部５５は、ステップＳ８３の処理を行った後、又は図形が入力されていないと判断した場合（Ｓ８２：ＮＯ）、図形が選択されたか否かを判断する（Ｓ８４）。具体的には、制御部５５は、図形設定画面１３６に図形１４５が表示された状態でチェックボックス１４３にチェックが付けられたか否かを判断する。図形が選択されていないと制御部５５が判断した場合（Ｓ８４：ＮＯ）、処理がステップＳ８１へ戻される。制御部５５は、図形が選択されたと判断した場合（Ｓ８４：ＹＥＳ）、選択された図形を第２処理で得られた原稿の画像から検出する（Ｓ８５）。制御部５５は、第２処理で得られた原稿の画像から図形が検出されたか否かを判断する（Ｓ８６）。
【０１８５】
制御部５５は、第２処理で得られた原稿の画像から図形が検出されたと判断した場合（Ｓ８６：ＹＥＳ）、検出された図形が含まれる領域を第２領域に区画し、その他の領域を第１領域に区画する（Ｓ８７）。このステップＳ８７の処理は、ステップＳ７６の処理と同様に行われる。制御部５５は、このステップＳ８７の処理で区画された第１領域及び第２領域の情報に基づいて第１処理を実行する（Ｓ８８）。
【０１８６】
なお、第２処理（ステップＳ５８）ではラインセンサ４０のピントを合わせた状態で原稿のプレスキャンが行われるので、上述した一連の処理の一部が以下のように変更されてもよい。制御部５５は、第２処理で得られた原稿の画像をＲＡＭ５８に格納する。第１処理において、制御部５５は、搬送される原稿全体の画像をラインセンサ４０が第２位置３２に対応する読取位置に配置された状態でラインセンサ４０に読み取らせる。そして、制御部５５は、第１処理で得られた第２領域の画像、及び第１処理で得られた第１領域の画像を合成して原稿全体の画像を生成する。その結果、第１処理におけるラインセンサ４０の読取位置の変更や原稿全体を２回読み取る読取動作が不要となる。このため、第１処理にかかる時間を短縮し、画像読取ユニット１４の負荷を軽減し、スキャナ１０の構成を簡略化することが可能となる。
【０１８７】
制御部５５は、第２処理で得られた原稿の画像から図形が検出されなかったと判断した場合（Ｓ８６：ＮＯ）、原稿の画像に選択された図形が含まれていないことを報知する（Ｓ８９）。具体的には、制御部５５は、「選択された図形は検出されませんでした」などのメッセージを操作パネル１３に表示させる。
【０１８８】
図２２〜図２４は、ぼかしモードを選択する情報を端末装置１４０から受信した場合にスキャナ１０において行われる処理の手順を示すフローチャートである。
【０１８９】
制御部５５は、ぼかしモードを選択する情報を端末装置１４０から受信したか否かを判断する（Ｓ９１）。ぼかしモードを選択する情報を受信していないと制御部５５が判断した場合（Ｓ９１：ＮＯ）、待機状態となる。制御部５５は、ぼかしモードを選択する情報を受信したと判断した場合（Ｓ９１：ＹＥＳ）、ＥＥＰＲＯＭ５９に保存されている指定情報、文字、及び図形を端末装置１４０へ転送する（Ｓ９２）。
【０１９０】
端末装置１４０は、スキャナ１０から転送された指定情報、文字、及び図形を受信する。端末装置１４０は、受信したこれらの情報をモニタに表示し、第１モード又は第２モードの選択を受け付ける。キーボードやマウスの操作により第２モードが指定された場合、端末装置１４０は、ユーザの操作入力に基づいて指定情報を生成してスキャナ１０へ送信する。キーボードやマウスの操作により第１モードが指定された場合、端末装置１４０は、スキャナ１０へプレスキャン命令を送信する。
【０１９１】
スキャナ１０の制御部５５は、端末装置１４０から指定情報を受信したか否かを判断する（Ｓ９３）。制御部５５は、指定情報を受信したと判断した場合（Ｓ９３：ＹＥＳ）、受信された指定情報に基づいて原稿の読取領域を第１領域及び第２領域に区画する（Ｓ９４）。このステップＳ９４の処理は、ステップＳ５１の処理と同様に行われる。制御部５５は、ステップＳ９４の処理で区画された第１領域及び第２領域の情報に基づいて第１処理を実行する（Ｓ９５）。
【０１９２】
端末装置１４０から送信された指定情報は、スキャナ１０により受信される。本スキャンにおける原稿の読取領域は、この指定情報に基づいて第１領域及び第２領域に区画される。このため、ユーザが端末装置１４０において第１領域と第２領域を任意に指定して原稿の一部の領域をぼかして読み取らせることが可能となる。
【０１９３】
制御部５５は、指定情報を受信していないと判断した場合（Ｓ９３：ＮＯ）、端末装置１４０からプレスキャン命令を受信したか否かを判断する（Ｓ９６）。プレスキャン命令を受信していないと制御部５５が判断した場合（Ｓ９６：ＮＯ）、処理がステップＳ９３へ戻される。制御部５５は、プレスキャン命令を受信したと判断した場合（Ｓ９６：ＹＥＳ）、第２処理を実行する（Ｓ１００）。制御部５５は、この第２処理で得られた原稿の画像を端末装置１４０へ転送する（Ｓ１０１）。
【０１９４】
例えば、端末装置１４０では、原稿の画像がモニタに表示される。モニタに表示された原稿の画像を見たユーザの操作入力に基づいて、端末装置１４０で指定情報、文字、又は図形が生成される。指定情報、文字、又は図形は、スキャナ１０へ送信される。
【０１９５】
スキャナ１０の制御部５５は、端末装置１４０から送信された指定情報を受信したか否かを判断する（Ｓ１０２）。指定情報を受信したと制御部５５が判断した場合に（Ｓ１０２：ＹＥＳ）、ステップＳ９４へ処理が進められる。制御部５５は、指定情報を受信していないと判断した場合（Ｓ１０２：ＮＯ）、端末装置１４０から文字又は図形を受信したか否かを判断する（Ｓ１０３）。文字又は図形を受信していないと制御部５５が判断した場合（Ｓ１０３：ＮＯ）、処理がステップＳ１０２へ戻される。
【０１９６】
制御部５５は、文字又は図形を受信したと判断した場合（Ｓ１０３：ＹＥＳ）、受信した情報が文字であるか又は図形であるかを判断する（Ｓ１０４）。制御部５５は、受信した情報が文字であると判断した場合（Ｓ１０４：文字）、受信した文字を第２処理で得られた原稿の画像から検出する（Ｓ１０５）。このステップＳ１０５の処理は、ステップＳ７４の処理と同様に行われる。制御部５５は、ステップＳ１０５の処理を行った結果、受信した文字がプレスキャンで得られた原稿の画像から検出されたか否かを判断する（Ｓ１０６）。制御部５５は、文字が検出されたと判断した場合（Ｓ１０６：ＹＥＳ）、検出された文字が含まれる領域を第２領域に区画し、その他の領域を第１領域に区画する（Ｓ１０７）。このステップ１０７の処理は、ステップ７６の処理と同様に行われる。制御部５５は、このステップＳ１０７の処理で区画された第１領域及び第２領域の情報に基づいて第１処理を実行する（Ｓ１０８）。
【０１９７】
制御部５５は、文字が検出されなかったと判断した場合（Ｓ１０６：ＮＯ）、原稿の画像に受信した文字が含まれていないことを報知するための情報を端末装置１４０へ送信する（Ｓ１０９）。これにより、例えば「指定された文字は原稿に含まれていません」等のメッセージが端末装置１４０のモニタに表示される。
【０１９８】
制御部５５は、受信した情報が図形であると判断した場合（Ｓ１０４：図形）、受信した図形を第２処理で得られた原稿の画像から検出する（Ｓ１１１）。このステップＳ１１１の処理は、ステップＳ８５の処理と同様に行われる。制御部５５は、ステップＳ１１１の処理を行った結果、受信した図形が第２処理で得られた原稿の画像から検出されたか否かを判断する（Ｓ１１２）。制御部５５は、図形が検出されたと判断した場合（Ｓ１１２：ＹＥＳ）、検出された図形が含まれる領域を第２領域に区画し、その他の領域を第１領域に区画する（Ｓ１１３）。このステップＳ１１３の処理は、ステップＳ８７の処理と同様に行われる。制御部５５は、ステップＳ１１３の処理で区画された第１領域及び第２領域の情報に基づいて第１処理を実行する（Ｓ１１４）。
【０１９９】
制御部５５は、図形が検出されなかったと判断した場合（Ｓ１１２：ＮＯ）、原稿の画像に受信した図形が含まれていないことを報知するための情報を端末装置１４０へ送信する（Ｓ１１５）。これにより、例えば「指定された図形は原稿に含まれていません」等のメッセージが端末装置１４０のモニタに表示される。
【０２００】
ＡＤＦ２８により搬送される原稿におけるラインセンサ４０の読取領域は、第１領域及び第２領域に区画される。読取領域は、原稿のプレスキャン（第２処理）により得られた原稿の画像、又はユーザ設定に基づいて区画される。搬送される原稿の本スキャンにおいて、ラインセンサ４０を移動させるＣＲモータ６５の駆動により、第１ガラス１８における原稿の読取面２５とラインセンサ４０との第１相対距離が、区画された領域に応じて変更される。すなわち、原稿の第１領域を読み取る場合、ラインセンサ４０は第１位置３１に対応する読取位置に配置される。原稿の第２領域を読み取る場合、ラインセンサ４０は第２位置３２に対応する読取位置に配置される。このため、ＣＲモータ６５とは別の駆動源を設けることなく、搬送される原稿の一部の領域をぼかして読み取ることができる。
【０２０１】
ぼかしモードでは、スキャナ１０が第１モード又は第２モードに設定される。第１モードは、プレスキャンの結果に基づいて読取領域を区画するものである。第２モードは、ユーザ設定に基づいて読取領域を区画するものである。第１モードの選択が受け付けられると、搬送される原稿のプレスキャンがラインセンサ４０により実行される。そして、そのプレスキャンで得られた原稿の画像に基づいて、本スキャンで読み取られるその原稿の読取領域が区画される。これにより、例えば、プレスキャンで得られた原稿の画像を解析して読取領域を区画したり、或いはプレスキャンで得られた原稿の画像を表示してユーザの操作に基づいて読取領域を区画することができる。第２モードの選択が受け付けられると、本スキャンで読み取られる原稿の読取領域がユーザ設定に基づいて区画される。例えば、複数の原稿に対して同じ読取領域を設定することにより、複数の原稿が同じ条件で読み取られる。なお、第２モードでは原稿のプレスキャンは行われない。
【０２０２】
本実施形態に係るスキャナ１０では、操作パネル１３から入力された、又は端末装置１４０から受信した指定情報、文字、又は図形がＥＥＰＲＯＭ５９に記憶される。このため、ユーザは、指定情報、文字、又は図形を登録しておくことにより、これらの情報を入力することなく第２領域を指定することができる。すなわち、複数の原稿に対して同じ第１領域と第２領域を指定して原稿を読み取る場合に、原稿毎の文字又は図形の入力が不要となる。なお、ＥＥＰＲＯＭ５９に記憶される指定情報、文字、及び図形は、これらの情報に限定されるものではない。スキャナ１０に保存される指定情報、文字、又は図形は、例えば、スキャナ１０の出荷前に予めＲＯＭ５７に書き込まれたものであってもよい。
【０２０３】
本実施形態に係る第２ガラス２０は、スキャナ１０の高さ方向に上下動可能に構成されたものでもよい。
【０２０４】
図２５は、第２ガラス２０の昇降機構１１０を示す模式図である。
【０２０５】
図２５に示されるように、昇降機構１１０は、固定部材１１１と、スライド部材１１２と、支持部材１１３，１１４と、コイルバネ１１５，１１６，１１７，１１８とを備える。第２ガラス２０は、スキャナ１０の奥行き方向（矢印３９で示される方向）の両端に支持部材１１３，１１４が固定されている。固定部材１１１は、コイルバネ１１５，１１６を介して支持部材１１３を支持する。この固定部材１１１は、筐体１５に固定されている。スライド部材１１２は、コイルバネ１１７，１１８を介して支持部材１１４を支持する。このスライド部材１１２は、筐体１５に対してスキャナ１０の奥行き方向へスライド可能に設けられている。スライド部材１１２には、図外のモータからの駆動力が伝達される。スライド部材１１２は、この駆動力を受けてスライド移動する。固定部材１１１及びスライド部材１１２には、第２ガラス２０へ向けて下る傾斜面１１８，１１９が設けられている。支持部材１１３には、傾斜面１１８と平行な当接面１２０が形成されている。支持部材１１４には、傾斜面１１９と平行な当接面１２１が形成されている。
【０２０６】
スライド部材１１２は、モータからの駆動力を受けて固定部材１１１に近接する方向（図２５の左方向）へスライド移動する。支持部材１１３が傾斜面１１８により押し上げられると共に支持部材１１４が傾斜面１１９により押し上げられ、第２ガラス２０が上昇する。コイルバネ１１５，１１７は、第２ガラス２０の上昇に伴って収縮され、第２ガラス２０を下方へ押し下げるバネ力を蓄える。コイルバネ１１６，１１８は、第２ガラス２０の上昇に伴って伸張され、第２ガラス２０を下方へ引き下げるバネ力を蓄える。スライド部材１１２は、モータが逆回転されることにより固定部材１１１から離間する方向（図２５の右方向）へスライド移動する。支持部材１１３，１１４がコイルバネ１１５〜１１８が蓄えたバネ力によって傾斜面１１８，１１９に沿って下方へ移動し、第２ガラス２０が下降する。
【０２０７】
上述のように、第１ガラス１８における原稿の読取面２５は、ラインセンサ４０の移動面に対して傾斜されている。このため、ラインセンサ４０の移動に伴ってラインセンサ４０対応する読取面２５の高さが変化する。第２ガラス２０を上下動させて第２ガラス２０の上面と読取面２５の高さとを一致させることにより、ＦＢＳにおいても読取モードを変更して第２ガラス２０に載置された原稿を読み取ることが可能である。すなわち、ＦＢＳにおいても、上述の通常モード及びぼかしモードによる原稿の読み取りが可能である。
【０２０８】
［第２実施形態］
以下に、本発明の第２実施形態が説明される。第２実施形態は、第１ガラス１８及びその周辺の構成、基準部材３７及びその周辺の構成が異なるほかは、第１実施形態と同様の構成であるので、これら以外の構成の説明は省略される。
【０２０９】
図２６及び図２７は、本発明の第２実施形態に係るスキャナ１０における搬送路１２の一部を示す模式断面図である。
【０２１０】
本発明の第２の実施形態に係るスキャナ１０においては、第１ガラス１８及び基準部材３７がラインセンサ４０の移動面と平行に設けられている。また、ガイド部材３４の裏面には、第１ガラス１８に対して原稿の搬送方向上流側及び下流側に第１スペーサ９４が設けられている。この第１スペーサ９４は、ラインセンサ４０が第１ガラス１８と対向した状態でラインセンサ４０と第１ガラス１８との間に介在する。第１スペーサ９４は、ラインセンサ４０が移動する方向（図２６の矢印３８で示される方向）に厚みが階段状に変化するものである。第１スペーサ９４は、ＡＤＦ２８により搬送される原稿の搬送方向上流側から下流側へ向けて段階的に厚みが増す段差部２６が形成されている。一方、キャリッジ４１は、ローラ３０が設けられている長手方向の両端に段差部５０を有する。段差部５０は、段差部２６に対応して、ＡＤＦ２８により搬送される原稿の搬送方向下流側から上流側へ向けて段階的に高くなるように形成されている。
【０２１１】
ガイドシャフト４２は、上方へ付勢された状態で筐体１５に上下動可能に支持されている。キャリッジ４１は、キャリッジ４１の段差部５０が段差部２６を昇降するように矢印３８で示される方向に移動する。例えば、キャリッジ４１は、原稿の搬送方向下流側から上流側へ向けて移動する（図２６及び図２７参照）。これにより、キャリッジ４１に搭載されているラインセンサ４０の高さが変化する。その結果、ラインセンサ４０と、第１ガラス１８における原稿の読取面２５との相対距離である第１相対距離がＤ５からＤ６へ変更される。このように、ラインセンサ４０は、ＣＲモータ６５により移動されることで第１ガラス１８に対して接近又は離間される。なお、図２６及び図２７には第１相対距離が２段階に変更されるように第１スペーサ９４に２段の段差部２６が設けられているが、段差部２６の段数を増加させて第１相対距離が３段階以上に変更されるようにしてもよい。
【０２１２】
第２スペーサ９６は、スキャナ１０の幅方向（矢印３８で示される方向）における基準部材３７の両側に設けられている。第２スペーサ９６は、ラインセンサ４０が基準部材３７と対向した状態でラインセンサ４０と基準部材３７との間に介在する。第２スペーサ９６は、第１スペーサ９４と同形状のものである。すなわち、第２スペーサ９６は、ラインセンサ４０が移動する方向（矢印３８で示される方向）に厚みが階段状に変化するものである。ラインセンサ４０が基準部材３７に対向して移動されることにより、ラインセンサ４０と基準部材３７における読取面との第２相対距離が段階的に変更される。
【０２１３】
図２８は、第１スペーサ１０４及び第２スペーサ１０６を示す模式断面図である。
【０２１４】
本発明における第１スペーサ及び第２スペーサは、第１スペーサ９４及び第２スペーサ９６に限定されるものではない。すなわち、本発明における第１スペーサ及び第２スペーサは、図２８に示されるように、ラインセンサ４０が移動する方向にその厚みがくさび状に変化する第１スペーサ１０４及び第２スペーサ１０６であってもよい。
【図面の簡単な説明】
【０２１５】
【図１】図１は、本発明の第１実施形態に係るスキャナ１０の外観構成を示す斜視図であり、原稿カバー１７が開かれた状態を示す。
【図２】図２は、本発明の第１実施形態に係るスキャナ１０における搬送路１２の一部を示す模式断面図である。
【図３】図３は、原稿台１１の内部構成を示す平面図である。
【図４】図４は、スキャナ１０の制御部５５の構成例を示すブロック図である。
【図５】図５は、ラインセンサ４０の読取位置を例示した模式断面図であり、（Ａ）は第１位置３１に対応する読取位置、（Ｂ）は第２位置３２に対応する読取位置を示す。
【図６】図６は、スキャナ１０において電源投入時に行われる読取位置の設定処理の手順を示すフローチャートである。
【図７】図７は、スキャナ１０において電源投入時に行われる読取位置の設定処理の手順を示すフローチャートである。
【図８】図８は、第１テスト原稿９８の一例を示す模式図である。
【図９】図９は、ラインセンサ４０の読取位置が変更される様子を示す模式断面図である。
【図１０】図１０は、第１テスト原稿９８を読み取って得られたＭＴＦ特性を示す図である。
【図１１】図１１は、第２テスト原稿９９の一例を示す模式図である。
【図１２】図１２は、第２テスト原稿９９を読み取って得られたＭＴＦ特性を示す図である。
【図１３】図１３は、通常モードに設定された状態で原稿の読取開始が指示された場合にスキャナ１０において行われる処理の手順を示すフローチャートである。
【図１４】図１４は、原稿の読取領域４７を例示する模式図である。
【図１５】図１５は、ぼかしモードに設定された状態で操作パネル１３から原稿の読取開始が指示された場合にスキャナ１０において行われる処理の手順を示すフローチャートである。
【図１６】図１６は、ぼかしモードに設定された状態で操作パネル１３から原稿の読取開始が指示された場合にスキャナ１０において行われる処理の手順を示すフローチャートである。
【図１７】図１７は、ぼかしモードに設定された状態で操作パネル１３から原稿の読取開始が指示された場合にスキャナ１０において行われる処理の手順を示すフローチャートである。
【図１８】図１８は、ぼかしモードに設定された状態で操作パネル１３から原稿の読取開始が指示された場合にスキャナ１０において行われる処理の手順を示すフローチャートである。
【図１９】図１９は、操作パネル１３に表示される設定画面の一例を示す模式図である。
【図２０】図２０は、第１処理の詳細フローチャートである。
【図２１】図２１は、第２処理の詳細フローチャートである。
【図２２】図２２は、ぼかしモードを選択する情報を端末装置１４０から受信した場合にスキャナ１０において行われる処理の手順を示すフローチャートである。
【図２３】図２３は、ぼかしモードを選択する情報を端末装置１４０から受信した場合にスキャナ１０において行われる処理の手順を示すフローチャートである。
【図２４】図２４は、ぼかしモードを選択する情報を端末装置１４０から受信した場合にスキャナ１０において行われる処理の手順を示すフローチャートである。
【図２５】図２５は、第２ガラス２０の昇降機構１１０を示す模式図である。
【図２６】図２６は、本発明の第２実施形態に係るスキャナ１０における搬送路１２の一部を示す模式断面図である。
【図２７】図２７は、本発明の第２実施形態に係るスキャナ１０における搬送路１２の一部を示す模式断面図である。
【図２８】図２８は、第１スペーサ１０４及び第２スペーサ１０６を示す模式断面図である。
【符号の説明】
【０２１６】
１０・・・スキャナ（本発明に係る画像読取装置の一例）
１２・・・搬送路（本発明の経路に相当）
１３・・・操作パネル（本発明の第１表示部、第２表示部、第３表示部に相当）
１８・・・第１ガラス（本発明の第１透過部材の一例）
２０・・・第２ガラス（本発明の第２透過部材の一例）
２５，２７・・・読取面
３７，５３・・・基準部材
４０・・・ラインセンサ
５５・・・制御部（本発明の区画部、第１制御部、第１受付部、変更部、第２受付部、第１受信部、第３受付部、第１転送部、第２受信部、第４受付部、第５受付部、検出部、第２転送部、第３受信部、第６受付部、第２制御部、演算部、決定部に相当）
５９・・・ＥＥＰＲＯＭ（本発明の第１保存部、第２保存部に相当）
６５・・・ＣＲモータ（本発明の駆動部に相当）
７９・・・画像処理回路（本発明の補正部に相当）
９０・・・第１白基準データ（本発明の白基準データの一例）
９１・・・第２白基準データ（本発明の白基準データの一例）
９４，１０４・・・第１スペーサ
９６，１０６・・・第２スペーサ
９８・・・第１テスト原稿（本発明のテスト原稿の一例）
９９・・・第２テスト原稿（本発明のテスト原稿の一例）
【図１】
2008219129.tif 000004
【図２】
2008219129.tif 000005
【図３】
2008219129.tif 000006
【図４】
2008219129.tif 000007
【図５】
2008219129.tif 000008
【図６】
2008219129.tif 000009
【図７】
2008219129.tif 000010
【図８】
2008219129.tif 000011
【図９】
2008219129.tif 000012
【図１０】
2008219129.tif 000013
【図１１】
2008219129.tif 000014
【図１２】
2008219129.tif 000015
【図１３】
2008219129.tif 000016
【図１４】
2008219129.tif 000017
【図１５】
2008219129.tif 000018
【図１６】
2008219129.tif 000019
【図１７】
2008219129.tif 000020
【図１８】
2008219129.tif 000021
【図１９】
2008219129.tif 000022
【図２０】
2008219129.tif 000023
【図２１】
2008219129.tif 000024
【図２２】
2008219129.tif 000025
【図２３】
2008219129.tif 000026
【図２４】
2008219129.tif 000027
【図２５】
2008219129.tif 000028
【図２６】
2008219129.tif 000029
【図２７】
2008219129.tif 000030
【図２８】
2008219129.tif 000031